(57)【要約】  少なくとも1つの第1のビットストリームを第1の変調タイプを使用して変調して、少なくとも1つの第1のビットストリームの各々から少なくとも1つの第1の変調シンボルを生成することと、少なくとも1つの第1の変調シンボルの各々をそれぞれの第1のビットストリームに特有の拡散系列を使用して拡散して、第2の変調シンボルセットを生成することと、第2の変調シンボルセットのうち少なくとも1つをリソース要素マッピングを使用してマッピングすることと、マッピングされた第2の変調シンボルセットをMA信号として送信することとに基づいてMA信号を生成するためのフレームワークが提供される。少なくとも1つの第1の変調シンボルの各々の、それぞれの第1のビットストリームに特有の拡散系列を使用する拡散は、レイヤ特有の拡散系列およびレイヤ特有のスパース性パターンを使用してもよい。第2の変調シンボルセットのうち少なくとも1つの、リソース要素へのマッピングは、ユーザ装置(UE)特有および/またはレイヤ特有の拡散系列を使用してもよい。第2の変調シンボルセットのうち少なくとも1つの、リソース要素へのマッピングは、スパース拡散を使用してもよい。
2019537395.tif 000002
【特許請求の範囲】
【請求項１】
多元接続(MA)信号の送信のための方法であって、
各第1のビットストリームが少なくとも1ビットを含む少なくとも1つの第1のビットストリームを第1の変調タイプを使用して変調して、前記少なくとも1つの第1のビットストリームの各々から少なくとも1つの第1の変調シンボルを生成するステップと、
前記少なくとも1つの第1の変調シンボルの各々を、それぞれの第1のビットストリームに特有の拡散系列を使用して拡散して、第2の変調シンボルセットを生成するステップと、
前記第2の変調シンボルセットのうち少なくとも1つをリソース要素マッピングを使用してマッピングするステップと、
前記マッピングされた第2の変調シンボルセットをMA信号として送信するステップと、
を含む方法。
【請求項２】
前記拡散および前記マッピングは単一の動作として実行される、請求項1に記載の方法。
【請求項３】
第2のビットストリームを複数の第1のビットストリームに分解するステップ、をさらに含む請求項1または請求項2に記載の方法。
【請求項４】
少なくとも1つの第1の変調シンボルの位相もしくは電力または双方を調整するステップ、をさらに含む請求項1乃至3のうちいずれか1項に記載の方法。
【請求項５】
少なくとも1つの第1の変調シンボルの実数および虚数部を分離するステップ、をさらに含む請求項1乃至4のうちいずれか1項に記載の方法。
【請求項６】
前記少なくとも1つの第1の変調シンボルの各々を拡散するために使用される前記拡散系列は、少なくとも1つの拡散要素を含むベクトルである、請求項1乃至5のうちいずれか1項に記載の方法。
【請求項７】
前記拡散は、前記少なくとも1つの第1の変調シンボルと1つ以上のベクトルを含む行列との乗算として実行され、前記行列内のベクトルの数は第1の変調シンボルの数に対応する、請求項6に記載の方法。
【請求項８】
第1のコンステレーションに対応する少なくとも1つの第1の変調シンボルの、第2のコンステレーションに対応する第2の変調シンボルへのマッピングするステップ、をさらに含む請求項1乃至7のうちいずれか1項に記載の方法。
【請求項９】
前記第2のコンステレーションの点は、前記第1のコンステレーションの点の位置と異なる位置に位置する、請求項8に記載の方法。
【請求項１０】
少なくとも1つの第1のビットストリームを変調することは、
a)二位相シフトキーイング(BPSK)変調、
b)π/2‐BPSK変調、
c)直交振幅変調(QAM)、および
d)四位相シフトキーイング(QPSK)変調
のうち1つを含む、請求項1乃至9のうちいずれか1項に記載の方法。
【請求項１１】
前記少なくとも1つの第2の変調シンボルセットをリソース要素にマッピングすることは、スパース拡散を使用することを含む、請求項1乃至10のうちいずれか1項に記載の方法。
【請求項１２】
前記スパース拡散のスパース性は、異なるレベルのスパース性を可能にするよう柔軟である、請求項11に記載の方法。
【請求項１３】
前記少なくとも1つの第2の変調シンボルセットをリソース要素にマッピングすることは、非スパース拡散を使用することを含む、請求項1乃至12のうちいずれか1項に記載の方法。
【請求項１４】
前記少なくとも1つの第1の変調シンボルをリソース要素マッピングを使用してマッピングすることは、ユーザ装置(UE)特有のリソースマッピングを使用することを含む、請求項1乃至13のうちいずれか1項に記載の方法。
【請求項１５】
各々の少なくとも1つの第1の変調シンボルを、それぞれの第1のビットストリームに特有の拡散系列を使用して拡散することは、
特定のUEに送信される特定のレイヤに特有の拡散系列、および
特定のUEから送信される特定のレイヤに特有のスパース性パターン
のうち少なくとも1つを使用することを含む、請求項1乃至14のうちいずれか1項に記載の方法。
【請求項１６】
送信の前に別個のユーザ装置(UE)の各々に対して生成された、マッピングされた第2のセットの変調シンボルを多重するステップ、をさらに含む請求項1乃至15のうちいずれか1項に記載の方法。
【請求項１７】
多元接続(MA)信号を送信するように構成された送信デバイスであって、
プロセッサと、
コンピュータ実行可能命令を記憶したコンピュータ読取可能記憶媒体であり、前記コンピュータ実行可能命令は、前記プロセッサにより実行されたときに、
各第1のビットストリームが少なくとも1ビットを含む少なくとも1つの第1のビットストリームを第1の変調タイプを使用して変調して、前記少なくとも1つの第1のビットストリームの各々について少なくとも1つの第1の変調シンボルを生成するステップと、
前記少なくとも1つの第1の変調シンボルの各々を、それぞれの第1のビットストリームに特有の拡散系列を使用して拡散して、第2の変調シンボルセットを生成するステップと、
前記第2の変調シンボルセットのうち少なくとも1つをリソース要素マッピングを使用してマッピングするステップと、
前記マッピングされた第2の変調シンボルセットをMA信号として送信するステップと、
を含む方法を実行する、コンピュータ読取可能記憶媒体と、
を含む送信デバイス。
【請求項１８】
前記拡散および前記マッピングは単一の動作として実行される、請求項17に記載の送信デバイス。
【請求項１９】
第2のビットストリームを複数の第1のビットストリームに分解するステップ、をさらに含む請求項17または請求項18に記載の送信デバイス。
【請求項２０】
少なくとも1つの第1の変調シンボルの位相もしくは電力または双方を調整するステップ、をさらに含む請求項17乃至19のうちいずれか1項に記載の送信デバイス。
【請求項２１】
少なくとも1つの第1の変調シンボルの実数および虚数部を分離するステップ、をさらに含む請求項17乃至20のうちいずれか1項に記載の送信デバイス。
【請求項２２】
第1のコンステレーションに対応する少なくとも1つの第1の変調シンボルの、第2のコンステレーションに対応する第2の変調シンボルへのマッピングするステップ、をさらに含む請求項17乃至21のうちいずれか1項に記載の送信デバイス。
【請求項２３】
前記第2のコンステレーションの点は、前記第1のコンステレーションの点の位置と異なる位置に位置する、請求項22に記載の送信デバイス。
【請求項２４】
少なくとも1つの第1のビットストリームを変調することは、
a)二位相シフトキーイング(BPSK)変調、
b)π/2‐BPSK変調、
c)直交振幅変調(QAM)、および
d)四位相シフトキーイング(QPSK)変調
のうち1つを含む、請求項17乃至23のうちいずれか1項に記載の送信デバイス。
【請求項２５】
前記少なくとも1つの第2の変調シンボルセットをリソース要素にマッピングすることは、スパース拡散を使用することを含む、請求項17乃至24のうちいずれか1項に記載の送信デバイス。
【請求項２６】
前記少なくとも1つの第1の変調シンボルをリソース要素マッピングを使用してマッピングすることは、ユーザ装置(UE)特有のリソースマッピングを使用することを含む、請求項17乃至25のうちいずれか1項に記載の送信デバイス。
【請求項２７】
各々の少なくとも1つの第1の変調シンボルを、それぞれの第1のビットストリームに特有の拡散系列を使用して拡散することは、
特定のUEに送信される特定のレイヤに特有の拡散系列、および
特定のUEから送信される特定のレイヤに特有のスパース性パターン
のうち少なくとも1つを使用することを含む、請求項17乃至26のうちいずれか1項に記載の送信デバイス。
【請求項２８】
コンピュータ実行可能命令を記憶したコンピュータ読取可能記憶媒体であって、前記コンピュータ実行可能命令は、プロセッサにより実行されたときに、
各第1のビットストリームが少なくとも1ビットを含む少なくとも1つの第1のビットストリームを第1の変調タイプを使用して変調して、前記少なくとも1つの第1のビットストリームの各々について少なくとも1つの第1の変調シンボルを生成するステップと、
前記少なくとも1つの第1の変調シンボルの各々を、それぞれの第1のビットストリームに特有の拡散系列を使用して拡散して、第2の変調シンボルセットを生成するステップと、
前記第2の変調シンボルセットのうち少なくとも1つをリソース要素マッピングを使用してマッピングするステップと、
を含む方法を実行する、コンピュータ読取可能記憶媒体。
【発明の詳細な説明】
【技術分野】
【０００１】
この出願は2016年9月21日に出願された米国仮出願第62/397,682号および2017年9月8日に出願された米国特許出願第15/699,367号に対する優先権を主張し、これらの双方がここでその全体を参照により援用される。
【０００２】
本開示は、多元接続(multiple  access、MA)手法を利用する通信システムに一般に関する。
【背景技術】
【０００３】
多元接続(MA)手法は、複数のユーザ装置(user  equipment、UE)に送信されまたは複数のUEから受信される信号が送信リソースを同時に共有することを可能にする。
【０００４】
新しいMA手法は、次世代の通信技術の標準化のための活発なトピックである。多くの提案されたMA方式があり、異なる通信シナリオにおける相対的な利点と欠点がある。
【発明の概要】
【０００５】
本開示の一態様によれば、多元接続(multiple  access、MA)信号の送信のための方法が提供される。方法は、各第1のビットストリームが少なくとも1ビットを含む少なくとも1つの第1のビットストリームを第1の変調タイプを使用して変調して、少なくとも1つの第1のビットストリームの各々から少なくとも1つの第1の変調シンボルを生成するステップを含む。さらなるステップが、少なくとも1つの第1の変調シンボルの各々を、それぞれの第1のビットストリームに特有の拡散系列を使用して拡散して、第2の変調シンボルセットを生成するステップを含む。別のステップが、第2の変調シンボルセットのうち少なくとも1つをリソース要素マッピングを使用してマッピングするステップを含む。次いで、マッピングされた第2の変調シンボルセットはMA信号として送信される。
【０００６】
いくつかの実施形態において、拡散およびマッピングは単一の動作として実行される。
【０００７】
いくつかの実施形態において、方法は、第2のビットストリームを複数の第1のビットストリームに分解するステップ、をさらに含む。
【０００８】
いくつかの実施形態において、方法は、少なくとも1つの第1の変調シンボルの位相もしくは電力または双方を調整するステップ、をさらに含む。
【０００９】
いくつかの実施形態において、方法は、少なくとも1つの第1の変調シンボルの実数および虚数部を分離するステップ、をさらに含む。
【００１０】
いくつかの実施形態において、少なくとも1つの第1の変調シンボルの各々を拡散するために使用される拡散系列は、少なくとも1つの拡散要素を含むベクトルである。
【００１１】
いくつかの実施形態において、拡散は、少なくとも1つの第1の変調シンボルと1つ以上のベクトルを含む行列との乗算として実行され、ベクトルの数は第1の変調シンボルの数に対応する。
【００１２】
いくつかの実施形態において、方法は、第1のコンステレーションに対応する少なくとも1つの第1の変調シンボルの、第2のコンステレーションに対応する第2の変調シンボルへのマッピングするステップ、をさらに含む。
【００１３】
いくつかの実施形態において、第2のコンステレーションの点は、第1のコンステレーションの点の位置と異なる位置に位置する。
【００１４】
いくつかの実施形態において、第2のコンステレーションの点は、第1のコンステレーション点の点と同じ位置に位置するが異なるコンステレーション点ラベルを有する。
【００１５】
いくつかの実施形態において、第2のコンステレーションは、第1のコンステレーションのものより低減された数のコンステレーション点を有する。
【００１６】
いくつかの実施形態において、少なくとも1つの第1のビットストリームを変調することは、a)二位相シフトキーイング(Binary  Phase  Shift  Keying、BPSK)変調、b)π/2‐BPSK変調、c)直交振幅変調(Quadrature  Amplitude  Modulation、QAM)、およびd)四位相シフトキーイング(Quadrature  Phase  Shift  Keying、QPSK)変調のうち1つを含む。
【００１７】
いくつかの実施形態において、少なくとも1つの第2の変調シンボルセットをリソース要素にマッピングすることは、スパース拡散を使用することを含む。
【００１８】
いくつかの実施形態において、スパース拡散のスパース性は、異なるレベルのスパース性を可能にするよう柔軟である。
【００１９】
いくつかの実施形態において、少なくとも1つの第2の変調シンボルセットをリソース要素にマッピングすることは、非スパース拡散を使用することを含む。
【００２０】
いくつかの実施形態において、それぞれの第1のビットストリームに特有の拡散系列は、所与のアルファベットまたは特定の基準に基づいて定義された構造化符号から要素が取られる擬似ランダムカバー符号を含む。
【００２１】
いくつかの実施形態において、方法は、a)アプリケーションシナリオ、b)MA送信のための物理レイヤ要件、c)重要パラメータ指標(key  parameter  indicators、KPI)を満たすこと、d)UE  id、およびe)レイヤインデックスのうち1つ以上に基づいて、少なくとも第1の変調タイプ、成分特有の拡散系列、位相/振幅調整、およびリソース要素マッピングを選択するステップ、をさらに含む。
【００２２】
いくつかの実施形態において、MA送信のための物理レイヤ要件は、a)信号のスペクトル効率、b)信号の変調および符号化方式、c)ピーク対平均電力比(peak-to-average  power  ratio、PAPR)、d)信号のチャネル属性、およびe)チャネル品質情報(channel  quality  information、CQI)フィードバックおよび/または信号対雑音比(signal  to  noise  ratio、SNR)測定のうち少なくとも1つを含む。
【００２３】
いくつかの実施形態において、少なくとも1つの第1の変調シンボルをリソース要素マッピングを使用してマッピングすることは、ユーザ装置(UE)特有のリソースマッピングを使用することを含む。
【００２４】
いくつかの実施形態において、各々の少なくとも1つの第1の変調シンボルを、それぞれの第1のビットストリームに特有の拡散系列を使用して拡散することは、特定のUEに送信される特定のレイヤに特有の拡散系列、および特定のUEから送信される特定のレイヤに特有のスパース性パターン、のうち少なくとも1つを使用することを含む。
【００２５】
いくつかの実施形態において、方法は、送信の前に別個のユーザ装置(UE)の各々に対して生成された、マッピングされた第2のセットの変調シンボルを多重するステップ、をさらに含む。
【００２６】
開示の別の態様によれば、多元接続(MA)信号を送信するように構成された送信デバイスが提供される。送信デバイスは、プロセッサと、コンピュータ実行可能命令を記憶したコンピュータ読取可能記憶媒体とを含み、コンピュータ実行可能命令は、プロセッサにより実行されたときに、方法を実行する。プロセッサにより実行される方法は、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップを含む。プロセッサにより実行されるさらなるステップが、少なくとも1つの第1の変調シンボルの各々を、それぞれの第1のビットストリームに特有の拡散系列を使用して拡散して、第2の変調シンボルセットを生成するステップを含む。プロセッサにより実行される別のステップが、第2の変調シンボルセットのうち少なくとも1つをリソース要素マッピングを使用してマッピングするステップを含む。次いで、送信デバイスは、マッピングされた第2の変調シンボルセットをMA信号として送信する。
【００２７】
いくつかの実施形態において、拡散およびマッピングは単一の動作として実行される。
【００２８】
いくつかの実施形態において、送信デバイスは、第2のビットストリームを複数の第1のビットストリームに分解するようにさらに構成される。
【００２９】
いくつかの実施形態において、送信デバイスは、少なくとも1つの第1の変調シンボルの位相もしくは電力または双方を調整するようにさらに構成される。
【００３０】
いくつかの実施形態において、送信デバイスは、少なくとも1つの第1の変調シンボルの実数および虚数部を分離するようにさらに構成される。
【００３１】
いくつかの実施形態において、送信デバイスは、第1のコンステレーションに対応する少なくとも1つの第1の変調シンボルを、第2のコンステレーションに対応する第2の変調シンボルにマッピングするようにさらに構成される。
【００３２】
いくつかの実施形態において、第2のコンステレーションの点は、第1のコンステレーションの点の位置と異なる位置に位置する。
【００３３】
いくつかの実施形態において、第2のコンステレーションの点は、第1のコンステレーション点の点と同じ位置に位置するが異なるコンステレーション点ラベルを有する。
【００３４】
いくつかの実施形態において、第2のコンステレーションは、第1のコンステレーションのものより低減された数のコンステレーション点を有する。
【００３５】
いくつかの実施形態において、少なくとも1つの第1のビットストリームを変調することは、a)二位相シフトキーイング(BPSK)変調、b)π/2‐BPSK変調、c)直交振幅変調(QAM)、およびd)四位相シフトキーイング(QPSK)変調のうち1つを含む。
【００３６】
いくつかの実施形態において、少なくとも1つの第2の変調シンボルセットをリソース要素にマッピングすることは、スパース拡散を使用することを含む。
【００３７】
いくつかの実施形態において、スパース拡散のスパース性は、異なるレベルのスパース性を可能にするよう柔軟である。
【００３８】
いくつかの実施形態において、少なくとも1つの第2の変調シンボルセットをリソース要素にマッピングすることは、非スパース拡散を使用することを含む。
【００３９】
いくつかの実施形態において、それぞれの第1のビットストリームに特有の拡散系列は、所与のアルファベットまたは特定の基準に基づいて定義された構造化符号から要素が取られる擬似ランダムカバー符号を含む。
【００４０】
いくつかの実施形態において、送信デバイスは、a)アプリケーションシナリオ、b)MA送信のための物理レイヤ要件、c)重要パラメータ指標(KPI)を満たすこと、d)UE  id、およびe)レイヤインデックスのうち1つ以上に基づいて、少なくとも第1の変調タイプ、成分特有の拡散系列、位相/振幅調整、およびリソース要素マッピングを選択するようにさらに構成される。
【００４１】
いくつかの実施形態において、MA送信のための物理レイヤ要件は、a)信号のスペクトル効率、b)信号の変調および符号化方式、c)ピーク対平均電力比(PAPR)、d)信号のチャネル属性、およびe)チャネル品質情報(CQI)フィードバックおよび/または信号対雑音比(SNR)測定のうち少なくとも1つを含む。
【００４２】
いくつかの実施形態において、少なくとも1つの第1の変調シンボルをリソース要素マッピングを使用してマッピングすることは、ユーザ装置(UE)特有のリソースマッピングを使用することを含む。
【００４３】
いくつかの実施形態において、各々の少なくとも1つの第1の変調シンボルを、それぞれの第1のビットストリームに特有の拡散系列を使用して拡散することは、特定のUEに送信される特定のレイヤに特有の拡散系列、および特定のUEから送信される特定のレイヤに特有のスパース性パターン、のうち少なくとも1つを使用することを含む。
【００４４】
開示の別の態様によれば、コンピュータ実行可能命令を記憶したコンピュータ読取可能記憶媒体が提供され、コンピュータ実行可能命令は、プロセッサにより実行されたときに、プロセッサに方法を実行させる。方法は、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップを含む。方法のさらなるステップが、少なくとも1つの第1の変調シンボルの各々を、それぞれの第1のビットストリームに特有の拡散系列を使用して拡散して、第2の変調シンボルセットを生成するステップを含む。方法の別のステップが、第2の変調シンボルセットのうち少なくとも1つをリソース要素マッピングを使用してマッピングするステップを含む。
【００４５】
いくつかの実施形態において、命令は、プロセッサにより実行されたときにプロセッサに、上述された方法の実施形態のうち任意のものを実行させる。
【００４６】
開示の別の態様によれば、多元接続(MA)信号を復号する方法が提供される。方法は、MA信号を受信するステップと、MA信号を復号するための変調タイプ、拡散系列、およびシンボル対リソース要素マッピングの少なくとも1つのセットを決定するステップと、MA信号を復号するステップと、を含む。
【００４７】
いくつかの実施形態において、MA信号を復号するための変調タイプ、拡散系列、およびシンボル対リソース要素マッピングの少なくとも1つのセットを決定するステップは、送信機により送出される変調タイプ、拡散系列、およびシンボル対リソース要素マッピングの指示に基づいて、もしくはブラインド検出により、またはこれらの組み合わせにより、決定することを含む。
【００４８】
開示のさらなる態様によれば、多元接続(MA)信号を受信するように構成されたデバイスが提供される。デバイスは、プロセッサと、コンピュータ実行可能命令を記憶したコンピュータ読取可能記憶媒体とを含み、コンピュータ実行可能命令は、プロセッサにより実行されたときに、プロセッサに方法を実行させる。方法は、MA信号を受信するステップと、MA信号を復号するための変調タイプ、拡散系列、およびシンボル対リソース要素マッピングの少なくとも1つのセットを決定するステップと、MA信号を復号するステップと、を含む。
【００４９】
いくつかの実施形態において、MA信号を復号するための変調タイプ、拡散系列、およびシンボル対リソース要素マッピングの少なくとも1つのセットを決定するステップは、送信機により送出される変調タイプ、拡散系列、およびシンボル対リソース要素マッピングの指示に基づいて、もしくはブラインド検出により、またはこれらの組み合わせにより、決定することを含む。
【００５０】
本開示の実施形態の他の態様および特徴が、以下の説明を読んだ当業者に明らかになる。
【図面の簡単な説明】
【００５１】
次に、本願の実施形態の例が添付の図面を参照してより詳細に説明される。
【図１】データを通信するための無線ネットワークを示すブロック図である。
【図２Ａ】図１の例示的な電子デバイス(Electronic  Device、ED)構造を示すブロック図である。
【図２Ｂ】図１の例示的な基地局構造を示すブロック図である。
【図３】非直交多元接続(non-orthogonal  multiple  access、NoMA)方式を実施することに使用できる装置の一例を示すブロック図である。
【図４Ａ】アプリケーションの態様に従って種々の多元接続方式を生成するために使用され得る例示的フレームワークを示す概略図である。
【図４Ｂ】アプリケーションの態様に従って種々のMA方式を生成するために使用され得る別の例示的フレームワークを示す概略図である。
【図５】本出願の一態様によるフレームワークから導出された例示的なMA方式を示す概略図である。
【図６】本出願の一態様によるフレームワークから導出された別の例示的なMA方式を示す概略図である。
【図７】本出願の一態様によるフレームワークから導出された別の例示的なMA方式を示す概略図である。
【図８】本出願の一態様によるフレームワークから導出された別の例示的なMA方式を示す概略図である。
【図９】本出願の一態様によるフレームワークから導出された例示的なMA方式を示す概略図である。
【図１０】本出願の一態様によるフレームワークから導出された例示的なMA方式を示す概略図である。
【図１１】本出願の一態様によるフレームワークから導出された例示的なMA方式を示す概略図である。
【図１２】本出願の一態様による16QAMコンステレーションを再ラベル付けする例を示す概略図である。
【図１３】本出願の一態様による16QAMコンステレーションを再マッピングする別の例を示す概略図である。
【図１４】本出願の一実施形態による例示的方法のフロー図である。
【図１５】本出願の一実施形態による例示的方法のフロー図である。
【図１６】本出願の一態様によるMA信号を送信するための例示的なユーザ装置(user  equipment、UE)のブロック図である。
【図１７】本出願の一態様によるMA信号を送信するための例示的なネットワーク側受信機のブロック図である。
【図１８】本出願の一態様によるMA信号を受信するための例示的な装置のブロック図である。
【発明を実施するための形態】
【００５２】
最初に、本開示の1つ以上の実施形態の例示的な実施形態が以下に提供されるが、開示されたシステムおよび/または方法は、任意の数の手法を用いて実施可能であることが理解されるべきである。本開示は、本明細書に図示および説明される設計および実装を含む、以下に説明される例示的な実装、図面、および手法に限定されてはならないが、添付の特許請求の範囲の範囲内でそれらの等価物の全範囲と共に変更されてもよい。
【００５３】
多元接続(MA)手法は、一般に、複数の信号が所与の共有リソース上で1つ以上の送信機から1つ以上の受信機に同時に送信されることを可能にする。共有リソースは、時間リソース、周波数リソース、空間リソース、またはこれらの何らかの組み合わせを含み得る。下りリンク(downlink、DL)シナリオでは、送信ポイント(transmit  point、TP)、受信ポイント(receive  point、RP)、進化型ノードB(eNode  BまたはeNB)、またはアクセスポイントとしても時に知られる送受信ポイント(transmit  receive  point、TRP)などのネットワーク側デバイスが、複数の別個のユーザ装置(UE)に送信できる。用語「UE」は、移動局(station、STA)または他の無線対応デバイスなどのネットワーク側デバイスとの無線接続を確立することができる任意のコンポーネント(またはコンポーネントの集合)を指す。上りリンク(uplink、UL)シナリオでは、複数のUEがネットワーク側受信機に送信できる。
【００５４】
図１は、例示的な通信システム1600を示す。一般に、システム1600は、複数の無線または有線ユーザがデータおよび他のコンテンツを送信および受信することを可能にする。システム1600は、符号分割多元接続(code  division  multiple  access、CDMA)、時分割多元接続(time  division  multiple  access、TDMA)、周波数分割多元接続(frequency  division  multiple  access、FDMA)、直交FDMA(orthogonal  FDMA、OFDMA)、または単一キャリアFDMA(single-carrier  FDMA、SC-FDMA)などの1つ以上のチャネルアクセス方法を実装し得る。
【００５５】
この例では、通信システム100は、電子デバイス(ED)1610a〜1610c、無線アクセスネットワーク(radio  access  networks、RAN)1620a〜1620b、コアネットワーク1630、公衆交換電話ネットワーク(public  switched  telephone  network、PSTN)1640、インターネット1650、および他のネットワーク1660を含む。特定の数のこれらコンポーネントまたは要素が図１に示されているが、任意の数のこれらコンポーネントまたは要素がシステム1600に含まれてもよい。
【００５６】
ED1610a〜1610cは、システム1600内で動作および/または通信するように構成される。例えば、ED1610a〜1610cは、無線または有線通信チャネルを介して送信および/または受信するように構成される。各ED1610a〜1610cは、任意の適切なエンドユーザデバイスを表し、ユーザ装置/デバイス(UE)、無線送信/受信ユニット(wireless  transmit/receive  unit、WTRU)、移動局、固定または移動加入者ユニット、セルラ電話、パーソナルデジタルアシスタント(personal  digital  assistant、PDA)、スマートフォン、ラップトップ、コンピュータ、タッチパッド、無線センサ、または消費者電子機器デバイスのようなデバイスを含んでもよい(またはこれらとして参照されてもよい)。
【００５７】
ここで、RAN1620a〜1620bは、それぞれ、基地局1670a〜1670bを含む。各基地局1670a〜1670bは、コアネットワーク1630、PSTN1640、インターネット1650、および/または他のネットワーク1660へのアクセスを可能にするために、ED1610a〜1610c(本明細書ではUE1610a〜1610cとも呼ばれ得る)の1つ以上と無線でインターフェースするように構成される。例えば、基地局1670a〜1670bは、基地送受信局(base  transceiver  station、BTS)、Node-B(NodeB)、進化型NodeB(eNodeB)、ホームNodeB、ホームeNodeB、サイトコントローラ、アクセスポイント(access  point、AP)、または無線ルータなどの、いくつかの周知のデバイスのうち1つ以上を含んで(または該1つ以上であって)もよい。ED1610a〜1610cは、インターネット1650とインターフェースし通信するように構成され、コアネットワーク1630、PSTN1640、および/または他のネットワーク1660にアクセスし得る。
【００５８】
図１に示す実施形態では、基地局1670aは、RAN1620aの一部を形成し、RAN1620aは、他の基地局、要素、および/またはデバイスを含んでもよい。また、基地局1670bは、RAN1620bの一部を形成し、RAN1620bは、他の基地局、要素、および/またはデバイスを含んでもよい。各基地局1670a〜1670bは、時に「セル」と呼ばれる特定の地理的領域またはエリア内で無線信号を送信および/または受信するように動作する。いくつかの実施形態では、各セルについて複数の送受信機を有するマルチプルインプットマルチプルアウトプット(multiple-input  multiple-output、MIMO)技術が採用されてもよい。
【００５９】
基地局1670a〜1670bは、無線通信リンクを使用して1つ以上のエアインターフェース1690を通じてED1610a〜1610cの1つ以上と通信する。エアインターフェース1690は、任意の適切な無線アクセス技術を利用してもよい。
【００６０】
システム1600は、上述したような方式を含む複数チャネルアクセス機能性を使用してもよいと考えられる。特定の実施形態では、基地局およびEDは、LTE、LTE-A、LTE-B、および/または他の第4世代または第5世代(例えば、ニューラジオ(New  Radio))無線アクセス技術および無線プロトコルを実装する。当然ながら、他の多元接続方式、RATおよび/または無線プロトコルが利用されてもよい。
【００６１】
RAN1620a〜1620bは、コアネットワーク1630と通信し、ED1610a〜1610cに音声、データ、アプリケーション、ボイスオーバーインターネットプロトコル(Voice  Over  Internet  Protocol、VoIP)、または他のサービスを提供する。理解できるように、RAN1620a〜1620bおよび/またはコアネットワーク1630は、1つ以上の他のRAN(図示せず)と直接的または間接的に通信してもよい。コアネットワーク130はまた、他のネットワーク(PSTN1640、インターネット1650、および他のネットワーク1660など)のためのゲートウェイアクセスとして機能し得る。さらに、ED1610a〜1610cの幾つかまたは全ては、異なる無線技術および/またはプロトコルを使用して異なる無線リンクを通じて異なる無線ネットワークと通信するための機能性を含んでもよい。無線通信の代わりに(またはそれに加えて)、EDは、有線通信チャネルを介してサービスプロバイダまたはスイッチ(図示せず)に、およびインターネット1650に対して通信してもよい。
【００６２】
図１は通信システムの一例を示すが、図１に種々の変更が行われてもよい。例えば、通信システム1600は、任意の数のED、基地局、ネットワーク、または他のコンポーネントを任意の適切な構成において含むことができる。
【００６３】
図２Ａおよび２Ｂは、本開示による方法および教示を実施し得る例示的なデバイスを示す。特に、図２Ａは例示的なED1610を示し、図２Ｂは例示的な基地局1670を示す。これらのコンポーネントは、システム100においてまたは任意の他の適切なシステムにおいて使用できる。
【００６４】
図２Ａに示すように、ED1610は、少なくとも1つの処理ユニット1700を含む。処理ユニット1700は、ED1610の様々な処理動作を実施する。例えば、処理ユニット1700は、信号符号化、データ処理、電力制御、入力/出力処理、またはED1610がシステム1600内で動作することを可能にする任意の他の機能性を実行することができる。処理ユニット1700はさらに、上記でより詳細に説明された方法および教示をサポートする。各処理ユニット1700は、1つ以上の動作を実行するように構成された任意の適切な処理または計算デバイスを含む。各処理ユニット1700は、例えば、マイクロプロセッサ、マイクロコントローラ、デジタル信号プロセッサ、フィールドプログラマブルゲートアレイ、または特定用途向け集積回路を含むことができる。図２Ａには単一の処理ユニットのみが示されているが、ED1610内に上述の動作を実行する複数の処理ユニットが存在し得る。
【００６５】
ED1610は、少なくとも1つの送受信機1702をさらに含む。送受信機1702は、少なくとも1つのアンテナまたはNIC(ネットワークインターフェースコントローラ(Network  Interface  Controller))1704による送信のためにデータまたは他のコンテンツを変調するように構成される。送受信機1702は、少なくとも1つのアンテナ1704によって受信されたデータまたは他のコンテンツを復調するようにさらに構成される。各送受信機1702は、無線または有線送信のための信号を生成し、および/または無線または有線で受信された信号を処理するための、任意の適切な構造を含む。各アンテナ1704は、無線または有線信号を送信および/または受信するための任意の適切な構造を含む。1つまたは複数の送受信機1702がED1610において使用でき、1つまたは複数のアンテナ1704がED1610において使用できる。単一の機能ユニットとして示されているが、送受信機1702は、少なくとも1つの送信機および少なくとも1つの別個の受信機を使用して実装されてもよい。
【００６６】
ED1610は、1つ以上の入力/出力デバイス1706またはインターフェース(インターネット1650への有線インターフェースなど)をさらに含む。入力/出力デバイス1706は、ネットワーク内のユーザまたは他のデバイスとの相互作用(ネットワーク通信)を容易にする。各入力/出力デバイス1706は、ネットワークインターフェース通信を含む、スピーカ、マイクロホン、キーパッド、キーボード、ディスプレイ、またはタッチスクリーンなどの、情報をユーザに提供し、またはユーザから情報を受信/提供するための任意の適切な構造を含む。
【００６７】
さらに、ED1610は、少なくとも1つのメモリ1708を含む。メモリ1708は、ED1610によって使用され、生成され、または収集された命令およびデータを記憶する。例えば、メモリ1708は、処理ユニット1700によって実行されるソフトウェアまたはファームウェア命令、および入来信号における干渉を低減または除去するために使用されるデータを記憶することができる。各メモリ1708は、任意の適切な揮発性および/または不揮発性記憶および検索デバイスを含む。ランダムアクセスメモリ(random  access  memory、RAM)、読取専用メモリ(read  only  memory、ROM)、ハードディスク、光ディスク、加入者識別モジュール(subscriber  identity  module、SIM)カード、メモリスティック、セキュアデジタル(secure  digital、SD)メモリカード等などの任意の適切なタイプのメモリが使用されてもよい。
【００６８】
図２Ｂに示すように、基地局1670は、少なくとも1つの処理ユニット1750、送信機および受信機の機能性を含む少なくとも1つの送受信機1752、1つ以上のアンテナ1756、少なくとも1つのメモリ1758、および1つ以上の入力/出力デバイスまたはインターフェース1766を含む。当業者に理解されるであろうスケジューラ1753が、処理ユニット1750に結合される。スケジューラ1753は、基地局1670内に含まれてもよく、または基地局1670とは別個に動作してもよい。処理ユニット1750は、信号符号化、データ処理、電力制御、入力/出力処理、または任意の他の機能性などの基地局1670の種々の処理動作を実施する。処理ユニット1750はさらに、上記でより詳細に説明された方法および教示をサポートすることができる。各処理ユニット1750は、1つ以上の動作を実行するように構成された任意の適切な処理または計算デバイスを含む。各処理ユニット1750は、例えば、マイクロプロセッサ、マイクロコントローラ、デジタル信号プロセッサ、フィールドプログラマブルゲートアレイ、または特定用途向け集積回路を含むことができる。
【００６９】
各送受信機1752は、1つ以上のEDまたは他のデバイスへの無線または有線送信のための信号を生成するための任意の適切な構造を含む。各送受信機1752は、1つ以上のEDまたは他のデバイスから無線でまたは有線により受信された信号を処理するための任意の適切な構造をさらに含む。送受信機1752として組み合わせられて示されるが、送信機および受信機が別個のコンポーネントでもよい。各アンテナ1756は、無線または有線信号を送信および/または受信するための任意の適切な構造を含む。共通のアンテナ1756が送受信機1752に結合されるとしてここで示されるが、1つ以上のアンテナ1756が送受信機1752に結合されてもよく、別個のコンポーネントとして装備される場合に送信機および受信機に、別個のアンテナ1756が結合されることを可能にする。各メモリ1758は、任意の適切な揮発性および/または不揮発性記憶および検索デバイスを含む。各入力/出力デバイス1766は、ネットワーク内のユーザまたは他のデバイスとの相互作用(ネットワーク通信)を容易にする。各入力/出力デバイス1766は、ネットワークインターフェース通信を含む、ユーザに情報を提供し、またはユーザから情報を受信/提供するための任意の適切な構造を含む。
【００７０】
いくつかの実施形態では、ED1610、1670は各々、図２Ａおよび図２Ｂに示されるコンポーネントのサブセットのみを含み、本明細書に記載される動作を実行し得る。例えば、ED1610、1670は、処理ユニット1700、1750またはメモリ1708、1758と結合された処理ユニット1700、1750のみを含んでもよい。これらの実施形態では、ED1610、1670は、ネットワーク内の他のデバイスとの無線通信を可能にするインターフェースまたは通信モジュールをさらに含んでもよい。図示しないが、インターフェースまたは通信モジュールは、変調器、増幅器、アンテナ、および/または送信チェーンの他のモジュールもしくはコンポーネントを含むことができ、あるいは代替的に、別個の(無線周波数(Radio-Frequency)  -  RF)通信モジュールとインターフェースするように構成されてもよい。例えば、ED1610、1670の処理ユニット1700、1750およびメモリ1708、1758のいずれかまたは両方が、別個の(RF)ユニットによる送信のために本明細書で説明される多元接続(MA)信号を生じるように、ハードウェアまたは回路において(例えば、1つ以上のチップセット、マイクロプロセッサ、特定用途向け集積回路(application-specific  integrated  circuits、ASIC)、フィールドプログラマブルゲートアレイ(field-programmable  gate  arrays、FPGA)、専用論理回路、またはこれらの組み合わせにおいて)実装されてもよい。
【００７１】
本明細書に開示する実施形態は、例えば、非直交多元接続(NoMA)を含むがこれに限定されない、多元接続シナリオに適用可能である。図３は、NoMA方式を実装することに使用できる装置の一例を示すブロック図である。
【００７２】
図３は、FEC符号化器20、ビットレベルインターリーバ/スクランブラ22、変調シンボル系列生成器24、およびシンボル対REマッパ26として機能するユニットを含む、NoMA信号を生成するためのフレームワークの一部であってもよい信号処理動作の集合を実装する装置10の一例を示す。ビットレベル動作およびシンボルレベル動作もまた、図３においてそれぞれ12、14でラベル付けされる。
【００７３】
情報ビットのストリームが、前方誤り訂正(forward  error  correction、FEC)符号化を実行するために、FEC符号化器20に提供される。情報ビットは、低密度パリティチェック(low  density  parity  check、LDPC)符号、ターボ(Turbo)符号、ポーラ(polar)符号、または他のタイプの符号であってもよいFECチャネル符号で処理される。一実施形態では、K個の情報ビットのブロックが符号化され、N>K個の符号化ビットが生成される。
【００７４】
次に、符号化ビットは、ビットレベルインターリーブ/スクランブルのために、ビットレベルインターリーバ/スクランブラ22に提供される。ビットレベルインターリーバ/スクランブラ22では、符号化ビットはインターリーブおよび/またはスクランブルされ、インターリーブ/スクランブルビットが生成される。ビットレベルインターリーバ/スクランブラ22は、ユーザ(または受信機)特有であってよく、それにより各ユーザまたは受信機が特定のインターリーバ/スクランブラ系列または方式に関連付けられ、あるいは、セル特有のインターリーバ/スクランブラ系列に関連付けられ、それにより特定のインターリーバ/スクランブラ系列または方式がネットワーク内の各セルまたはサービスエリア内の受信機に適用される。
【００７５】
ビットレベルインターリーバ/スクランブラ22からの符号化ビットの出力は、変調シンボルレベル系列生成器24に提供される。変調シンボルレベル系列生成器24は、符号化ビットからシンボルを生成する。変調シンボル系列生成器24において、インターリーブ/スクランブルビットは、さらなるシンボルレベル拡散動作を伴いまたは伴わず、変調シンボルにマッピングされる。ビット対シンボルマッピングは、1つまたは複数のビット対1つまたは複数のシンボルであり得る。シンボルレベル拡散は、1つまたは複数の段階を含み得る拡散符号でシンボルを乗算することを含み得、拡散符号の長さは各段階で異なり得る。
【００７６】
図３には特に示されていないが、変調シンボルレベル系列生成器24の出力は、シンボルプリコーディングを実行するシンボル系列プリコーダに提供されてもよい。このようなプリコーディングは、送信信号のピーク対平均電力比(peak  to  average  power  ratio、PAPR)を低減することを意図することができ、これは、送信信号のカバレッジを改善し得る。OFDM波形の場合、離散フーリエ変換(discrete  Fourier  transform、DFT)プリコーディングが使用されてもよい。
【００７７】
いくつかの実施形態においてプリコードされていてもよいシンボル系列が、シンボル対リソース要素(resource  element、RE)マッパ26に提供される。変調シンボルは、さらなるシンボルレベルのインターリーブ/スクランブルを伴いまたは伴わず、送信のためにリソース要素にマッピングされる。シンボルレベルインタリーバ/スクランブラは、ユーザ特有であってよく、それにより各ユーザが特定のシンボルレベルインタリーバ/スクランブラ系列または方式を有し、あるいは、セル特有であってよく、特定のシンボルレベルインタリーバ/スクランブラ系列または方式がネットワークの各セルまたはカバレッジエリア内の受信機に適用される。いくつかの実施形態では、シンボル系列プリコーダはシンボル対リソース要素(RE)マッパの後にも使用できる。
【００７８】
他の動作または特徴も実装可能である。例えば、波形変調器は、シンボルがREにマッピングされた後に、エアを通じて送信される実際の信号を生成するために実装されてもよい。
【００７９】
図３に示されるフレームワークによれば、情報ビットは、最初にFEC符号化器を用いて符号化され、セル特有、UE特有、またはUEから送信されるMA信号が複数のレイヤを含む場合には一般的なレイヤ特有であり得る符号化ビットに、ビットレベルインターリーブ/スクランブルが適用される。これらはビットレベル動作である。変調シンボル系列生成とシンボル対REマッピングとを含むUE特有またはより一般的にはレイヤ特有のシンボルレベル動作が適用される。このようなフレームワークは、多重された受信機の信号をより効率的に復号する際に受信機を助け得る。
【００８０】
図３は、開示された実施形態が適用できる多元接続シナリオの単に例示的な例として意図されている。本明細書に開示する実施形態は、例えば、図３の24における変調シンボル系列生成を実施するために使用できる。
【００８１】
NoMAは一般に、複数の信号が所与の共有リソース上で1つ以上の送信機から1つ以上の受信機に同時に送信されることを可能にする。共有リソースは、時間リソース、周波数リソース、空間リソース、またはこれらの何らかの組み合わせを含み得る。下りリンク(DL)シナリオでは、ネットワーク側デバイスは複数の別個のユーザ装置(UE)に送信できる。上りリンク(UL)シナリオでは、複数のUEがネットワーク側受信機に送信できる。
【００８２】
UL  NoMAシナリオでは、UEは、複数のトーン(tones)での送信のためのシンボルになるように、1つ以上のレイヤに配置された情報ビットを処理する。NoMAでは、信号を受信する受信機において、複数のUEからのシンボルの衝突が存在する可能性がある。NoMA手法は、UEまたはレイヤに特有であるいくつかのUE特有の(および/またはユーザ特有の)またはレイヤ特有の特徴をそれぞれ適用することによって、複数のUEからの送信信号を区別しようと試みてもよい。
【００８３】
このようなUE特有の(および/またはユーザ特有の)またはレイヤ特有の(または両方の)特徴または信号処理動作に基づいて、区別可能な多元接続方式が開発できる。これらの信号処理動作は、FEC、ビットレベルインターリーブ/スクランブル、変調シンボル系列生成器、およびシンボル対REマッピングを含み得るが、これらに限定されない。
【００８４】
信号処理動作の特定のセットの選択に基づいてMA信号を生成するためのフレームワークが提案される。信号処理動作のコアグループは、変調、拡散行列、およびシンボル対リソース要素(RE)マッピングを含む。これらに限定されないが、位相または電力調整動作、実数および虚数部を分離すること、ならびに第1のコンステレーション(constellation)対第2のコンステレーションマッピングなどの、実行されるさらなる信号処理動作が存在し得る。各々が信号処理動作の異なるサブセットを含む種々のMA方式は、フレームワークを使用して導出することができる。このようなフレームワークは、MAを使用して、所望の性能基準を満たす信号処理動作のセットを有するMA方式を選択するように構成された送信機によって使用できる。
【００８５】
図４Ａは、MA信号を生成するためのフレームワーク100の一部であり得る信号処理動作の例を示す。MA信号として送信するためのビットb0、b1、...br-1を含むビットストリームが、分割されて複数のサブストリーム110a、110b、...、110rを形成する。3つのサブストリームが示されているが、サブストリームの数は3より大きくても小さくてもよいことが理解されるべきである。各サブストリーム110a、110b、110rは、それぞれの変調器115a、115b、..、115rに入力される。変調器は、グレイラベル付け(Gray  labeling)などのベースラインラベル付けを有する、直交振幅変調(Quadrature  Amplitude  Modulation、QAM)を含むベースライン変調器であってもよい。変調器115a、115b、...、115rによって実行される変調は、異なるサブストリーム110a、110b、...、110rに対して異なってもよい。
【００８６】
図４Ａには、破線で示される幾つかのさらなる任意的な処理ブロックが示されている。図４Ａの任意的な処理ブロックは、電力および/または位相調整処理ブロック120a、120b、..、120rおよび実数/虚数分離処理ブロック125a、125b、..、125rを含む。電力および/または位相調整処理ブロック120a、120b、..、120rは、それぞれの変調器の出力の位相または電力が調整されることを可能にする。いくつかの実施形態では、電力および/または位相処理ブロックによって実行される動作は成分拡散行列(component  spreading  matrix)に組み込まれてもよく、それにより、動作の全てが単一の行列乗算によって実行される。実数/虚数分離処理ブロック125a、125b、..、125rは、それぞれの変調器の出力が処理ブロックの出力の実数部と処理ブロックの出力の虚数部とに分解されることを可能にする。
【００８７】
対応する変調器115a、115b、...115rによるそれぞれのビットストリームから、または対応する任意的な変調器後の(post-modulator)信号処理ブロック120a、120b、...120r、125a、125b、...125rから出力されるシンボルは、成分(component)と呼ばれ得る。次に、拡散が各成分に別個に適用でき、それにより、拡散は、特定の成分の各シンボルをシンボルのセットにマッピングする成分特有の拡散とみなされ得る。したがって、いくつかの実施形態では、拡散動作はマッピング動作と呼ばれ得る。拡散動作が線形であるとき、それは、図４Ａのフレームワークにおいて成分拡散行列130の形式で表すことができる。成分拡散行列は、n個の列およびm個の行を有するとみなされてもよく、ここで、nとmは任意の整数値でよい。n=1でmが≧1の場合、行列は、m個の要素を有するベクトルまたは拡散系列を表してもよい。同様に、m=1でnが≧1の場合、行列は、n個の要素を有するベクトルまたは拡散系列を表してもよい。当業者は、行列が、各ベクトルがm個の要素を有するn個のベクトルまたは拡散系列のセットであるとみなされ得ることも理解するであろう。成分拡散行列は、単に拡散行列とも呼ばれ得る。成分拡散行列のn列の各々は、変調器から出力される1つ以上の変調シンボルのグループを拡散/マッピングするために使用される拡散系列のm個の要素のセットを表し得る。いくつかの実施形態では、拡散/マッピング動作は、乗算演算によって実行される。拡散行列の出力は、拡散行列に適用される成分の各々(各変調シンボル)を、シンボルのセットまたは系列に拡散し、あるいはマッピングする。シンボルのセットまたは系列は、同じまたは異なるコンステレーションからであってもよく、同じまたは異なる順序を有してもよい。
【００８８】
幾つかの実装では、成分拡散行列130は、列の数が成分の数に対応するように定義できる。別の実装では、列の数は固定値として設定され、送信信号のプロパティ、例えば、すべての成分が同じ成分によって生成される場合における変調次数にマッピングされ得る。行列内の列数よりも少ない成分が存在する場合、成分拡散行列130内の列のいくつかはゼロになる。例えば、変調次数が4である場合、非ゼロ列の数は2であるように構成できる。
【００８９】
別の実装では、成分拡散行列は、これらに限定されないがBPSKおよびπ/2-BPSKを含む、所与の固定変調に基づいて定義できる。成分拡散行列がBPSKおよび/またはπ/2-BPSKに基づいて定義される場合、列の数は変調次数に等しくなる。
【００９０】
実数/虚数分離が必要とされない、すなわち、任意的な実数/虚数分離処理ブロック125a、125b、..、125rが使用されない場合、成分の実数および虚数部の両方が、同じ拡散系列を使用してもよい。このような場合、成分拡散行列130は、実数/虚数部の各ペアについて1つの拡散列のみを含むように簡素化され得る。
【００９１】
成分拡散行列130の出力は、送信されるMA信号を構築するために、シンボル対リソース要素(RE)マッピング処理ブロック135に提供される。
【００９２】
シンボル対REマッピング処理ブロック135によって実行されるマッピングは、使用されるMA方式に依存して、スパースマッピングまたは非スパースマッピングであり得る。スパースマッピングは、異なるスパース性レベルを有するように構成できる。
【００９３】
また、成分拡散行列130、および/または信号対REマッピング処理ブロック135によって実行される信号対REマッピングは、複数のUEから受信される信号の復号を簡素化するために、UE特有またはレイヤ特有であってもよいことが留意されるべきである。成分拡散行列130は、特定のUEまたはレイヤに対応する所与の成分または入力ストリームに対応する行列内の値、すなわち、所与の列内の拡散系列を利用することにより、UE特有の方法で実装できる。REマッピング処理ブロック135は、特定のUEまたはレイヤに対応する特定のマッピングを利用することによって、UE特有の方法で実装できる。
【００９４】
成分拡散行列130およびシンボル対REマッピング処理ブロック135は組み合わせられ、拡張成分拡散行列を結果として生じることができる。このような組み合わせられた拡張成分拡散行列は、行列の一部としてカバー符号(cover  code)を適用する可能性も可能にし得る。カバー符号は、複素数の系列である。カバー符号は、所与のアルファベット(alphabet)またはいくつかの基準に基づく構造化された方法からランダムに選択される要素を有する擬似ランダムであってもよい。いくつかの実施形態では、カバー符号の要素は、単位振幅を有する。UE特有のカバー符号は、複数のUEによって同時に送信される信号の分離におけるさらなる自由度を提供し、従って、より良い受信を提供する。いくつかの実施形態では、カバー符号は、成分特有の行列に適用されてもよい。
【００９５】
拡張成分拡散行列の例では、結果として生じる行列内の行の数は、拡散係数に対応する。
【００９６】
結果として生じる拡張成分拡散行列は、異なるタイプのMA方式を区別する。行列はMA方式のタイプを定義する。行列の選択は、要求される重要パラメータ指標(key  parameter  indicators、KPI)、アプリケーションシナリオおよびスペクトル効率(spectral  efficiency、SE)要件の少なくとも1つに基づくことができる。
【００９７】
いくつかの実施形態では、シンボル対REマッピング処理ブロック135は、成分特有のマッピングを利用してもよい。
【００９８】
図４Ｂは、図４Ａに類似するがコンステレーション対コンステレーションマッピング処理ブロック123a、123b、...、123rを有するフレームワーク150のさらなるバージョンを示す。コンステレーション対コンステレーションマッピングの例は、図１２および図１３に関して以下に提供される。電力/位相調整処理ブロック120a、120b、..、120rはフレームワーク150に含まれるが、依然としてフレームワーク150への任意的な追加と考えられる。いくつかの実施形態では、例えば図４Ａに示すような実数/虚数分離処理ブロックが、コンステレーション再マッピング処理ブロック123a、123b、...、123rの前に含まれてもよい。
【００９９】
図４Ａまたは図４Ｂの基本フレームワークから生じる異なる組み合わせの例が、図５、６、７、８、９、１０、１１、１２、および１３を参照して以下に説明される。
【０１００】
開示されたフレームワークに基づいて、提案されたMA方式は、線形拡散とも呼ばれるマルチ成分拡散または単一成分拡散に分類され得る。
【０１０１】
幾つかの実装形態では、マルチ成分拡散は、スパースコード多元接続(Sparse  Code  Multiple  Access、SCMA)に見られるような任意の成分拡散行列を使用することを含み得る。マルチ成分拡散は、柔軟な成分特有のスパース性レベルを含んでもよい。いくつかの実施形態では、マルチ成分拡散は、アイデンティティ成分拡散行列(identity  component  spreading  matrix)を使用することを含み得る。
【０１０２】
幾つかの実装では、単一成分拡散は、レイヤ特有の拡散系列、またはレイヤ特有のスパース性パターン、またはその両方を使用することを含み得る。レイヤ特有の拡散系列は、系列の要素が所与のアルファベットからランダムに選択されるか、またはいくつかの基準に基づいて構造化された方法で定義される、擬似ランダムな方法で定義されてもよい。
【０１０３】
図４Ａおよび４Ｂに示される信号処理動作の全てが、フレームワークから開発された所定のMA方式において必ずしも必要とされるわけではないことを理解されたい。図４Ａおよび４Ｂは、フレームワークに含まれる種々の信号処理動作の例を示すことを意図している。他の信号処理動作は排除されない。
【０１０４】
図５は、MA信号を生成するためのフレームワークから導出される信号処理動作の特定の配置の第1の例200である。この第1の例200では、ビットb0、b1のペアが2つのサブストリーム210a、210bに分離され、個々のビットが2つの別個の二位相シフトキーイング(BPSK)変調器215a、215bに提供される。各BPSK変調器215a、215bから出力される成分は、成分拡散行列230によって乗算される。成分を拡散するために使用される特定の成分拡散行列230は、以下のとおりである。
【数１】
2019537395.tif 000003
【０１０５】
行列内の列の数は2に等しく、成分の数に等しく、すなわちBPSK変調器215a、215bの各々から1つである。この場合、列数は変調サイズにさらに対応する。
【０１０６】
図示していないが、例200にも位相調整処理ブロックが存在してもよい。
【０１０７】
次に、成分拡散行列230の出力は、シンボル対REマッピング処理ブロック235に提供される。例200は、4点3投影コンステレーションを生成するために使用され得る。行の数は、コードブック内の非ゼロ要素の数を決定し得る。
【０１０８】
成分拡散行列230をシンボル対REマッピング235と組み合わせて拡張成分拡散行列を生成する場合、カバー符号に成分拡散行列を乗じることが可能である。カバー符号は、擬似ランダムであってもよいし、所定のアルファベットで構造化されていてもよい。いくつかの実施形態では、カバー符号は、成分特有の行列に適用されてもよい。
【０１０９】
図６は、MA信号を生成するためのフレームワークから導出される信号処理動作の特定の配置の別の例300である。例300では、ビットb0、b1、b2のセットが、複数のサブストリーム310a、310bおよび310cを形成するように分離され、各ビットは、3つのBPSK変調器315a、315b、315cのうちの1つに提供される。BPSK変調器315bおよび315cの各々から出力される成分は、それぞれ、電力調整ブロック320bおよび320cに提供される。BPSK変調器315aおよび2つの電力調整ブロック320bおよび320cからの成分出力は、成分拡散行列330で乗算される。成分を拡散するために使用される特定の成分拡散行列330は、以下のとおりである。
【数２】
2019537395.tif 000004
【０１１０】
例300では、電力調整処理ブロックが成分拡散行列に含まれることも可能である。この場合、成分拡散行列は次のようになる。
【数３】
2019537395.tif 000005
あるいは、同等に、以下のとおりである。
【数４】
2019537395.tif 000006
見てわかるように、第2および第3の拡散成分の電力は、2の係数で増幅されるか、または同等であり、第1の拡散成分の電力は、2の係数で低減される。
【０１１１】
図示していないが、例300にも位相調整処理ブロックが存在してもよい。
【０１１２】
例300では、成分拡散行列330の列の数は3に等しく、これは成分の数および変調サイズに対応する。
【０１１３】
次に、成分拡散行列330の出力は、シンボル対REマッピング処理ブロック335に提供される。例300は、8点4投影コンステレーションを生成するために使用されてもよい。行の数は、コードブック内の非ゼロ要素の数が2に等しいことを示す。
【０１１４】
図７は、MA信号を生成するためのフレームワークから導出される信号処理動作の特定の配置の別の例400である。例400において、個々のビットb0は、単一のストリーム410において単一の変調器415に提供される。これは、例えば、BPSK変調器または直交振幅変調(QAM)変調器であってもよい。変調器415から出力される成分は、成分拡散行列430によって乗算される。成分を拡散するために使用される行列は、従来の拡散系列、例えばCDMAで使用されるタイプであってもよい。線形拡散では、一つの成分しか存在しないので、拡散は、上述のように単一成分拡散と呼ぶことができる。次に、成分拡散行列430の出力は、シンボル対REマッピング処理ブロック435に提供される。
【０１１５】
成分拡散行列430は、単一列行列、すなわちベクトルとして、または拡散系列が第1の列にありゼロが残りの列にある固定数の列を有する行列として表されてもよい。固定数は、変調サイズにリンクされてもよい。
【０１１６】
成分拡散行列430は、BPSK変調を仮定して表されてもよい。この場合、列の数は変調サイズにリンクされ、成分拡散行列の列は次のように書くことができる。
【数５】
2019537395.tif 000007
ここで、Sは拡散系列を表し、(α1,...,αr)はBPSKシンボルからQAMシンボルを生成するために使用されるスカラー数であり、下付き文字rの値は変調サイズにリンクされる。特定の実施形態では、変調が四位相シフトキーイング(QPSK)であるとき、成分拡散行列はS’は、
【数６】
2019537395.tif 000008
の2列の行列として表すことができる。
【０１１７】
図８は、MA信号を生成するためのフレームワークから導出される信号処理動作の特定の配置のさらなる例500である。例500では、ビットb0,...,brのストリームが複数のサブストリーム510a,...,510rに分割され、各ビットは別個の変調器に提供され、これは、図８ではQAM変調器515a,...,515rである。QAM変調器515a,...,515rの各々から出力される成分は、成分拡散行列530によって乗算される。成分を拡散するために例500で使用される特定の行列は、アイデンティティ成分拡散行列Ir×rである。次に、成分拡散行列530の出力は、シンボル対REマッピング処理ブロック535に提供される。
【０１１８】
他の実施形態では、例500の成分拡散行列は、BPSK変調を仮定することに基づいて表すことができる。この場合、成分拡散行列は、次の形式でブロック対角行列になる。
【数７】
2019537395.tif 000009
ここで、(α1,...,αr)はBPSKシンボルから対応するQAMシンボルを生成するために使用できる対応するベクトルである。
【０１１９】
図９は、MA信号を生成するためのフレームワークから導出される信号処理動作の特定の配置の別の例600である。例600では、ビットb0、b1、b2、b3のセットが2つのサブストリーム610a、610bに分割され、次いで、ビットb0、b1およびb2、b3の各ペアは2つの別個の変調器のうちの1つに提供され、これは、図９においてQPSK変調器615a、615bである。QPSK変調器615aおよび615bの各々から出力される成分は、それぞれ、位相回転処理ブロック618aおよび618bに提供される。位相回転処理ブロック618aおよび618bの各々から出力される成分は、それぞれ、実数および虚数分離処理ブロック625aおよび625bに提供される。実数および虚数分離処理ブロック625aおよび625bの各々から出力される成分の実数および虚数部は、成分拡散行列630で乗算される。成分を拡散するために使用される特定の成分拡散行列630は、以下のとおりである。
【数８】
2019537395.tif 000010
【０１２０】
次に、成分拡散行列630の出力は、シンボル対REマッピング処理ブロック635に提供される。例600は、16点コンステレーションを表すために使用されてもよい。位相回転が45度として選択される場合、16点9投影コンステレーションが生成できる。
【０１２１】
図１０は、MA信号を生成するためのフレームワークから導出される信号処理動作の特定の配置の別の例700である。例700において、8ビットb0、b1、b2、b3、b4、b5、b6、b7のセットが4ビットb0、b1、b2、b3およびb4、b5、b6、b7の2つのサブストリームに分割され、これらは各々、2つの別個の変調器、すなわち16点直交振幅変調(16QAM)変調器715a、715bのうちの1つに提供される。16QAM変調器715aおよび715bの各々から出力される成分は、それぞれ位相回転処理ブロック718aおよび718bに供給される。位相回転処理ブロック718aおよび718bの各々から出力される成分は、それぞれ、実数および虚数分離処理ブロック725aおよび725bに供給される。実数および虚数分離処理ブロック725aおよび725bの各々から出力される成分の実数および虚数部は、成分拡散行列730によって乗算される。成分を拡散するために使用される特定の成分拡散行列730は、以下のとおりである。
【数９】
2019537395.tif 000011
【０１２２】
次に、成分拡散行列730の出力は、シンボル対REマッピング処理ブロック735に提供される。例700は、256点コンステレーションを表すために使用されてもよい。位相回転が45度として選択される場合、SCMA256点49投影コードブックが生成できる。
【０１２３】
図１１は、MA信号を生成するためのフレームワークから導出される信号処理動作の特定の配置のさらに別の例800である。例800において、ビットb0,...,brのストリームが複数の1ビットサブストリーム810a,...,810rに分割され、各ビットは別個の変調器に提供され、これは例800において、QAM変調器815a,...,815rである。QAM変調器815a,...,815rの各々から出力される成分は、それぞれのコンステレーション対コンステレーションマッピングブロック823a,...,823rに提供される。コンステレーション対コンステレーションブロック823a,...,823rから出力される成分は、成分拡散行列830によって乗算される。次に、成分拡散行列830の出力は、シンボル対REマッピング処理ブロック835に提供される。各コンステレーション対コンステレーションマッピングブロックは、基本的に、第1のコンステレーションから得られるQAMシンボルを、第2のコンステレーションから得られる第2のシンボルにマッピングする。いくつかの実装において、第1および第2のコンステレーションは同じ数の点を有するが、点は別様にラベル付けされる。これは本質的に、コンステレーション再ラベル付けとなる。他の実装では、第1および第2のコンステレーションは異なる数の点を有する。
【０１２４】
図１２は、16QAMコンステレーション900の特定のグレイラベル付けを示す。16QAMコンステレーションは16点を含み、各点は4ビットのセットによって定義される。図１２はまた、16点の同じ配置を有する2つの異なるコンステレーションマッピング910および920を含むが、点のラベル付けは異なる。例えば、912および922は両方とも1100としてラベル付けされているが、これらはそれぞれのコンステレーションの異なる位置に生じる。この特定の例では、コンステレーション再マッピングは単にコンステレーション再ラベル付けになる。
【０１２５】
図１３は、16QAMコンステレーション1000の特定のグレイラベル付けを示す。16QAMコンステレーションは16点を含み、各点は4ビットシンボル値によって定義される。コンステレーション1010および1020は、低減サイズコンステレーションへの再マッピングの例である。コンステレーション1010および1020は各々9点を含み、各点は4ビットシンボル値によって定義される。コンステレーション1010および1020のコンステレーション点のうちの4つは、1012aおよび1012bで示されるようにそれぞれの点に対して唯一のシンボル値を有し、コンステレーション点のうちの4つは、1014aおよび1014bで示されるようにそれぞれの点に関連付けられた2つのシンボル値を有し、1つのコンステレーション点は、1016で示されるようにその点に関連付けられた4つのシンボル値を有する。コンステレーション1010および1020は同じサイズの低減点コンステレーションを有するが、2つのコンステレーションについてラベル付けが異なる。いくつかの実施形態では、再マッピングは、各成分について異なるビット対シンボルラベル付けを結果として生じ得る。
【０１２６】
提案したフレームワークを用いて、MA方式は、成分拡散行列およびシンボル対REマッピングによって、またはいくつかの実施形態では先に紹介した拡張成分拡散行列によって説明できる。種々のMA方式は、これに限られないがスペクトル効率などの、アプリケーションシナリオおよび必要な物理レイヤ仕様に基づき構成可能である。指定可能な他のパラメータは、変調ベクトルを含む。異なる成分に対して同じ変調器を使用することができる実装において、変調器によって使用される変調次数は、変調および符号化方式(modulation  and  coding  scheme、MCS)および成分の数によって暗黙的に取得できる。いくつかの実施形態では、変調器はBPSKまたはπ/2-BPSKを使用することができ、成分拡散行列(または拡張成分拡散行列)は、変調器によって使用される特定の変調に基づいて定義できる。
【０１２７】
いくつかの実施形態では、成分拡散行列は、UE特有であってもよい。いくつかの実施形態において、シンボル対REマッピングパターン処理ブロックに使用されるシンボル対REマッピングパターンは、UE特有またはレイヤ特有であってもよい。いくつかの実施形態では、位相および/または振幅調整は、a)アプリケーションシナリオ、b)MA送信のための物理レイヤ要件、c)重要パラメータ指標(KPI)およびUE  idおよび/またはレイヤインデックスを満たすことの1つ以上に基づいて決定できる。
【０１２８】
上述されたのは、主に送信機およびMA信号の生成に対応する特徴である。開示の態様はまた、MA信号の受信、およびこれらの信号がどのように復号され得るかに関する。
【０１２９】
受信機が、MA信号を生成するために送信機により使用される変調および符号化方式(MCS)、成分拡散行列、およびシンボル対REマッピング、ならびに他の関連する信号処理方法をひとたび知ると、受信機は、この情報を使用して信号を復号することができる。いくつかの実施形態では、変調サイズは、成分拡散行列から取得できる。他の実施形態では、成分拡散行列は、これらに限られないがスペクトル効率、アプリケーションタイプ、サービス品質(quality  of  service、QoS)要件、チャネル品質指標(channel  quality  indicator、CQI)、および信号対雑音比(SNR)測定を含む、信号の物理レイヤ特性から取得または選択できる。送信機は、行列を選択するために1つ以上の行列選択パラメータを使用することができる。いくつかの実施形態において、行列は、ネットワークによる明示的なシグナリングから取得できる。いくつかの他の実施形態では、行列のプールが前もって生成され、行列インデックスとUE  id、レイヤインデックス、およびこれらに限られないがスペクトル効率、アプリケーションタイプ、QoS要件、CQIおよびSNR測定を含む他の行列選択パラメータとの間のマッピングルールと共に、物理レイヤおよび/またはより高いレイヤのシグナリングを通じてUEに通信され得る。いくつかの他の実施形態では、拡散行列のプールを生成することは、成分拡散行列の構築に使用される複数の拡散系列を生成することを含み得る。成分拡散行列、およびシンボル対REマッピング処理ブロック、ならびにネットワーク側受信機によってMA信号を生成するために送信機により使用される他の関連する信号処理方法の知識は、暗黙的であるか、またはUEからの明示的シグナリングを通じて受信されるかのいずれかか、あるいはこれらの組み合わせであり得る。
【０１３０】
いくつかの実施形態では、暗黙的知識は、送信信号のスペクトル効率、アプリケーションタイプおよびQoS要件などの信号の物理レイヤ特性に基づくことができる。例えば、スペクトル効率と成分拡散行列との間に1対1のマッピングが存在し得る。
【０１３１】
UEがネットワーク側受信機に送信しているUL状況では、ネットワーク側受信機は、UEによって信号を生成するために使用された成分拡散行列およびシンボル対REマッピングならびに他の関連する信号処理方法を知らないことがある。いくつかの実施形態において、MA信号を生成するために送信機によって使用される成分拡散行列および/またはシンボル対REマッピングならびに他の関連する信号処理方法は、UE  idおよび/またはレイヤインデックスにマッピングされてもよい。この場合、ネットワーク側受信機がUEのUEインデックスの知識を有する場合、この知識は、例えば、潜在的な成分拡散行列およびシンボル対REマッピングの探索空間を低減させることによって、成分拡散行列およびシンボル対REマッピングを決定するために使用できる。
【０１３２】
潜在的な成分拡散行列およびシンボル対REマッピングが十分に少ない場合、受信機によるブラインド検出も可能であり得る。
【０１３３】
図１４は、MA信号の送信のための例示的な方法を示すフローチャート1100である。方法のステップは、1つ以上のUEに送信しているネットワーク側デバイスによって、またはネットワーク側受信機に送信している1つ以上のUEによって実行されてもよい。
【０１３４】
ステップ1110は、送信デバイスが少なくとも1つの第1のビットストリームを第1の変調タイプを使用して変調して、少なくとも1つの第1のビットストリームの各々から少なくとも1つの第1の変調シンボルを生成することを含む。各第1のビットストリームは、少なくとも1ビットを含む。
【０１３５】
ステップ1120は、送信デバイスが少なくとも1つの第1の変調シンボルの各々を、それぞれの第1のビットストリームに特有の拡散系列を使用して拡散して、第2の変調シンボルセットを生成することを含む。
【０１３６】
ステップ1130は、送信デバイスが第2の変調シンボルセットのうち少なくとも1つをリソース要素マッピングを使用してマッピングしてMA信号を生成することを含む。
【０１３７】
特に、ネットワーク側デバイスが2つ以上のUEに信号を送信しているときのDLシナリオに対して、または2つ以上の信号レイヤが送信されているときの上りリンクにおいて実行され得る任意的なステップ1135は、ネットワーク側デバイスが、送信の前に別個のUEまたはレイヤの各々に対して生成された、マッピングされた第2の変調シンボルセットを多重することを含む。
【０１３８】
ステップ1140は、送信デバイスがマッピングされた第2の変調シンボルセットをMA信号として送信することを含む。
【０１３９】
さらなる任意的なステップ1150は、送信デバイスがMA信号の受信機に、該受信機がMA信号を復号するのを助け得る情報を通知することを含んでもよい。これは、変調タイプ、成分特有の拡散系列、およびMA信号を復号するためのシンボル対リソース要素マップのうちの1つ以上を受信機に通知することを含み得る。
【０１４０】
例示的な方法1100は、例示的な目的を意図している。上述のフローチャートにおいて任意的として図１４において識別されるステップは、方法の所与の実装において実行されてもよく、実行されなくてもよい。他の実施形態は、様々な方法のいずれかで例示された動作を実行すること、より少ないまたはさらなる動作を実行すること、および/または動作が実行される順序を変更することを含み得る。他の変形例は、本開示に基づいて当業者に明らかであり得るか、または明らかとなり得る。
【０１４１】
UEは、信号処理動作を選択することの責任を負い得るが、UEは、ネットワーク側受信機から情報を受信し、受信された情報に基づいて信号処理動作を選択することができる。また、いくつかの実施形態では、各UEに使用される信号処理動作は、UE  idに基づいて事前定義および/または事前構成される。UEが特定のタイプの信号のみを処理可能であり得るとき、UEが信号動作を選択することの責任を負うことは意味がある。ネットワーク側受信機は、該受信機のUEについての知識に基づいて、異なるUEに対する信号処理動作の異なる選択を提案しまたは割り当てることができる。
【０１４２】
ULシナリオでは、UEはまた、使用されるMA信号のタイプ、すなわちUEによって信号を生成するために使用される信号処理動作のタイプをネットワーク側受信機に知らせるために、ネットワーク側受信機にシグナリングしてもよい。
【０１４３】
図１５は、MA信号を復号するための例示的な方法を示すフローチャート1200である。方法のステップは、1つ以上のUEからMA信号を受信しているネットワーク側デバイスによって、またはネットワーク側送信機から受信している1つ以上のUEによって実行されてもよい。
【０１４４】
ステップ1210は、受信デバイスがMA信号を受信することを含む。
【０１４５】
ステップ1220は、受信デバイスがMA信号を復号するための変調タイプ、成分特有の拡散系列、およびシンボル対リソース要素マッピング、ならびにUEによって信号を生成するために使用された他の関連信号処理方法を含む変数の少なくとも1つのセットを決定することを含む。いくつかの実施形態において、この決定は、UE  id、ブラインド検出、またはUEから受信したシグナリング、またはこれらの組み合わせに基づいてもよい。
【０１４６】
ステップ1230は、受信デバイスがMA信号を復号することを含む。
【０１４７】
図１６は、MA信号の送信のための例示的な装置1300のブロック図である。例示的な装置1300は、UEであってもよく、したがって、キーパッド、ディスプレイスクリーン、スピーカ、マイクロホン等のような、通常そのような装置の一部である種々の要素を有し得る。例示的な装置1300は、プロセッサ1310およびプロセッサ読取可能記憶デバイス1320を含む。プロセッサ読取可能記憶デバイス1320はプロセッサ実行可能命令1330を記憶しており、該プロセッサ実行可能命令1330は、プロセッサ1310によって実行されたときにプロセッサ1310に上述された方法と一致する方法を実行させる。
【０１４８】
図１７は、MA信号の送信のための例示的なネットワーク側装置1400のブロック図である。このようなネットワーク側装置は、他のネットワーク側タスクを実行するための物理的構造を含み、デバイスがそれに応じて動作することを可能にするネットワーク内の任意の場所に配置されてもよい。例示的な装置1400は、プロセッサ1410およびプロセッサ読取可能記憶デバイス1420を含む。プロセッサ読取可能記憶デバイス1420はプロセッサ実行可能命令1430を記憶しており、該プロセッサ実行可能命令1430は、プロセッサ1410によって実行されるたときにプロセッサ1410に上述された方法と一致する方法を実行させる。
【０１４９】
図１８は、MA信号を受信するための例示的な装置1500のブロック図である。例示的な装置は、MA信号を受信および復号することのできるネットワーク側デバイスであってもよい。このようなネットワーク側装置は、他のネットワーク側タスクを実行するための物理的構造を含み、デバイスがそれに応じて動作することを可能にするネットワーク内の任意の場所に配置されてもよい。例示的な装置1500は、プロセッサ1510およびプロセッサ読取可能記憶デバイス1520を含む。プロセッサ読取可能記憶デバイス1520はプロセッサ実行可能命令1530を記憶しており、該プロセッサ実行可能命令1530は、プロセッサ1510によって実行されたときにプロセッサ1510に、1つ以上の送信機から1つ以上のMA信号を受信し、1つ以上のMA信号を復号するための方法を実装させる。
【０１５０】
いくつかの実施形態では、図１６、１７、および１８中のプロセッサは、汎用コンピュータハードウェアプラットフォームのコンポーネントであってもよい。他の実施形態では、プロセッサは、専用ハードウェアプラットフォームのコンポーネントであってもよい。例えば、プロセッサは組み込みプロセッサであってもよく、命令はファームウェアとして提供されてもよい。いくつかの実施形態は、ハードウェアのみを使用することによって実装されてもよい。いくつかの実施形態では、プロセッサによる実行のための命令は、ソフトウェア製品の形態で具体化されてもよい。ソフトウェア製品は、例えば、コンパクトディスク読取専用メモリ(compact  disc  read-only  memory、CD-ROM)、ユニバーサルシリアルバス(universal  serial  bus、USB)フラッシュディスク、またはリムーバブルハードディスクであり得る不揮発性または非一時的記憶媒体に記憶されてもよい。
【０１５１】
本開示の幾つかの実施形態は、定義された処理オペレータに基づく必要な重要性能指標(key  performance  indicator、KPI)に依存して、特定のアプリケーションシナリオのための適切なMA方式の選択を可能にし得る。
【０１５２】
いくつかの実施形態の前の説明は、当業者が本開示による装置、方法またはプロセッサ読取可能媒体を製造または使用することを可能にするように提供される。これらの実施形態に対する種々の変更は当業者には容易に明らかになり、本明細書に記載される方法およびデバイスの一般的原理は他の実施形態に適用され得る。したがって、本開示は、本明細書に示される実施形態に限定されることを意図するものではなく、本明細書に開示される原理および新規な特徴と一致する最も広い範囲を与えられるべきである。
【図１】
2019537395.tif 000012
【図２Ａ】
2019537395.tif 000013
【図２Ｂ】
2019537395.tif 000014
【図３】
2019537395.tif 000015
【図４Ａ】
2019537395.tif 000016
【図４Ｂ】
2019537395.tif 000017
【図５】
2019537395.tif 000018
【図６】
2019537395.tif 000019
【図７】
2019537395.tif 000020
【図８】
2019537395.tif 000021
【図９】
2019537395.tif 000022
【図１０】
2019537395.tif 000023
【図１１】
2019537395.tif 000024
【図１２】
2019537395.tif 000025
【図１３】
2019537395.tif 000026
【図１４】
2019537395.tif 000027
【図１５】
2019537395.tif 000028
【図１６】
2019537395.tif 000029
【図１７】
2019537395.tif 000030
【図１８】
2019537395.tif 000031
【手続補正書】
【提出日】平成31年4月24日(2019.4.24)
【手続補正１】
【補正対象書類名】明細書
【補正対象項目名】全文
【補正方法】変更
【補正の内容】
【発明の詳細な説明】
【技術分野】
【０００１】
この出願は2016年9月21日に出願された米国仮出願第62/397,682号および2017年9月8日に出願された米国特許出願第15/699,367号に対する優先権を主張し、これらの双方がここでその全体を参照により援用される。
【０００２】
本開示は、多元接続(multiple  access、MA)手法を利用する通信システムに一般に関する。
【背景技術】
【０００３】
多元接続(MA)手法は、複数のユーザ装置(user  equipment、UE)に送信されまたは複数のUEから受信される信号が送信リソースを同時に共有することを可能にする。
【０００４】
新しいMA手法は、次世代の通信技術の標準化のための活発なトピックである。多くの提案されたMA方式があり、異なる通信シナリオにおける相対的な利点と欠点がある。
【発明の概要】
【０００５】
本開示の一態様によれば、多元接続(multiple  access、MA)信号の送信のための方法が提供される。方法は、各第1のビットストリームが少なくとも1ビットを含む少なくとも1つの第1のビットストリームを第1の変調タイプを使用して変調して、少なくとも1つの第1のビットストリームの各々から少なくとも1つの第1の変調シンボルを生成するステップを含む。さらなるステップが、少なくとも1つの第1の変調シンボルの各々を、それぞれの第1のビットストリームに特有の拡散系列を使用して拡散して、第2の変調シンボルセットを生成するステップを含む。別のステップが、第2の変調シンボルセットのうち少なくとも1つをリソース要素マッピングを使用してマッピングするステップを含む。次いで、マッピングされた第2の変調シンボルセットはMA信号として送信される。
【０００６】
いくつかの実施形態において、拡散およびマッピングは単一の動作として実行される。
【０００７】
いくつかの実施形態において、方法は、第2のビットストリームを複数の第1のビットストリームに分解するステップ、をさらに含む。
【０００８】
いくつかの実施形態において、方法は、少なくとも1つの第1の変調シンボルの位相もしくは電力または双方を調整するステップ、をさらに含む。
【０００９】
いくつかの実施形態において、方法は、少なくとも1つの第1の変調シンボルの実数および虚数部を分離するステップ、をさらに含む。
【００１０】
いくつかの実施形態において、少なくとも1つの第1の変調シンボルの各々を拡散するために使用される拡散系列は、少なくとも1つの拡散要素を含むベクトルである。
【００１１】
いくつかの実施形態において、拡散は、少なくとも1つの第1の変調シンボルと1つ以上のベクトルを含む行列との乗算として実行され、ベクトルの数は第1の変調シンボルの数に対応する。
【００１２】
いくつかの実施形態において、方法は、第1のコンステレーションに対応する少なくとも1つの第1の変調シンボルの、第2のコンステレーションに対応する第2の変調シンボルへのマッピングするステップ、をさらに含む。
【００１３】
いくつかの実施形態において、第2のコンステレーションの点は、第1のコンステレーションの点の位置と異なる位置に位置する。
【００１４】
いくつかの実施形態において、第2のコンステレーションの点は、第1のコンステレーション点の点と同じ位置に位置するが異なるコンステレーション点ラベルを有する。
【００１５】
いくつかの実施形態において、第2のコンステレーションは、第1のコンステレーションのものより低減された数のコンステレーション点を有する。
【００１６】
いくつかの実施形態において、少なくとも1つの第1のビットストリームを変調することは、a)二位相シフトキーイング(Binary  Phase  Shift  Keying、BPSK)変調、b)π/2‐BPSK変調、c)直交振幅変調(Quadrature  Amplitude  Modulation、QAM)、およびd)四位相シフトキーイング(Quadrature  Phase  Shift  Keying、QPSK)変調のうち1つを含む。
【００１７】
いくつかの実施形態において、少なくとも1つの第2の変調シンボルセットをリソース要素にマッピングすることは、スパース拡散を使用することを含む。
【００１８】
いくつかの実施形態において、スパース拡散のスパース性は、異なるレベルのスパース性を可能にするよう柔軟である。
【００１９】
いくつかの実施形態において、少なくとも1つの第2の変調シンボルセットをリソース要素にマッピングすることは、非スパース拡散を使用することを含む。
【００２０】
いくつかの実施形態において、それぞれの第1のビットストリームに特有の拡散系列は、所与のアルファベットまたは特定の基準に基づいて定義された構造化符号から要素が取られる擬似ランダムカバー符号を含む。
【００２１】
いくつかの実施形態において、方法は、a)アプリケーションシナリオ、b)MA送信のための物理レイヤ要件、c)重要パラメータ指標(key  parameter  indicators、KPI)を満たすこと、d)UE  id、およびe)レイヤインデックスのうち1つ以上に基づいて、少なくとも第1の変調タイプ、成分特有の拡散系列、位相/振幅調整、およびリソース要素マッピングを選択するステップ、をさらに含む。
【００２２】
いくつかの実施形態において、MA送信のための物理レイヤ要件は、a)信号のスペクトル効率、b)信号の変調および符号化方式、c)ピーク対平均電力比(peak-to-average  power  ratio、PAPR)、d)信号のチャネル属性、およびe)チャネル品質情報(channel  quality  information、CQI)フィードバックおよび/または信号対雑音比(signal  to  noise  ratio、SNR)測定のうち少なくとも1つを含む。
【００２３】
いくつかの実施形態において、少なくとも1つの第1の変調シンボルをリソース要素マッピングを使用してマッピングすることは、ユーザ装置(UE)特有のリソースマッピングを使用することを含む。
【００２４】
いくつかの実施形態において、各々の少なくとも1つの第1の変調シンボルを、それぞれの第1のビットストリームに特有の拡散系列を使用して拡散することは、特定のUEに送信される特定のレイヤに特有の拡散系列、および特定のUEから送信される特定のレイヤに特有のスパース性パターン、のうち少なくとも1つを使用することを含む。
【００２５】
いくつかの実施形態において、方法は、送信の前に別個のユーザ装置(UE)の各々に対して生成された、マッピングされた第2のセットの変調シンボルを多重するステップ、をさらに含む。
【００２６】
開示の別の態様によれば、多元接続(MA)信号を送信するように構成された送信デバイスが提供される。送信デバイスは、プロセッサと、コンピュータ実行可能命令を記憶したコンピュータ読取可能記憶媒体とを含み、コンピュータ実行可能命令は、プロセッサにより実行されたときに、方法を実行する。プロセッサにより実行される方法は、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップを含む。プロセッサにより実行されるさらなるステップが、少なくとも1つの第1の変調シンボルの各々を、それぞれの第1のビットストリームに特有の拡散系列を使用して拡散して、第2の変調シンボルセットを生成するステップを含む。プロセッサにより実行される別のステップが、第2の変調シンボルセットのうち少なくとも1つをリソース要素マッピングを使用してマッピングするステップを含む。次いで、送信デバイスは、マッピングされた第2の変調シンボルセットをMA信号として送信する。
【００２７】
いくつかの実施形態において、拡散およびマッピングは単一の動作として実行される。
【００２８】
いくつかの実施形態において、送信デバイスは、第2のビットストリームを複数の第1のビットストリームに分解するようにさらに構成される。
【００２９】
いくつかの実施形態において、送信デバイスは、少なくとも1つの第1の変調シンボルの位相もしくは電力または双方を調整するようにさらに構成される。
【００３０】
いくつかの実施形態において、送信デバイスは、少なくとも1つの第1の変調シンボルの実数および虚数部を分離するようにさらに構成される。
【００３１】
いくつかの実施形態において、送信デバイスは、第1のコンステレーションに対応する少なくとも1つの第1の変調シンボルを、第2のコンステレーションに対応する第2の変調シンボルにマッピングするようにさらに構成される。
【００３２】
いくつかの実施形態において、第2のコンステレーションの点は、第1のコンステレーションの点の位置と異なる位置に位置する。
【００３３】
いくつかの実施形態において、第2のコンステレーションの点は、第1のコンステレーション点の点と同じ位置に位置するが異なるコンステレーション点ラベルを有する。
【００３４】
いくつかの実施形態において、第2のコンステレーションは、第1のコンステレーションのものより低減された数のコンステレーション点を有する。
【００３５】
いくつかの実施形態において、少なくとも1つの第1のビットストリームを変調することは、a)二位相シフトキーイング(BPSK)変調、b)π/2‐BPSK変調、c)直交振幅変調(QAM)、およびd)四位相シフトキーイング(QPSK)変調のうち1つを含む。
【００３６】
いくつかの実施形態において、少なくとも1つの第2の変調シンボルセットをリソース要素にマッピングすることは、スパース拡散を使用することを含む。
【００３７】
いくつかの実施形態において、スパース拡散のスパース性は、異なるレベルのスパース性を可能にするよう柔軟である。
【００３８】
いくつかの実施形態において、少なくとも1つの第2の変調シンボルセットをリソース要素にマッピングすることは、非スパース拡散を使用することを含む。
【００３９】
いくつかの実施形態において、それぞれの第1のビットストリームに特有の拡散系列は、所与のアルファベットまたは特定の基準に基づいて定義された構造化符号から要素が取られる擬似ランダムカバー符号を含む。
【００４０】
いくつかの実施形態において、送信デバイスは、a)アプリケーションシナリオ、b)MA送信のための物理レイヤ要件、c)重要パラメータ指標(KPI)を満たすこと、d)UE  id、およびe)レイヤインデックスのうち1つ以上に基づいて、少なくとも第1の変調タイプ、成分特有の拡散系列、位相/振幅調整、およびリソース要素マッピングを選択するようにさらに構成される。
【００４１】
いくつかの実施形態において、MA送信のための物理レイヤ要件は、a)信号のスペクトル効率、b)信号の変調および符号化方式、c)ピーク対平均電力比(PAPR)、d)信号のチャネル属性、およびe)チャネル品質情報(CQI)フィードバックおよび/または信号対雑音比(SNR)測定のうち少なくとも1つを含む。
【００４２】
いくつかの実施形態において、少なくとも1つの第1の変調シンボルをリソース要素マッピングを使用してマッピングすることは、ユーザ装置(UE)特有のリソースマッピングを使用することを含む。
【００４３】
いくつかの実施形態において、各々の少なくとも1つの第1の変調シンボルを、それぞれの第1のビットストリームに特有の拡散系列を使用して拡散することは、特定のUEに送信される特定のレイヤに特有の拡散系列、および特定のUEから送信される特定のレイヤに特有のスパース性パターン、のうち少なくとも1つを使用することを含む。
【００４４】
開示の別の態様によれば、コンピュータ実行可能命令を記憶したコンピュータ読取可能記憶媒体が提供され、コンピュータ実行可能命令は、プロセッサにより実行されたときに、プロセッサに方法を実行させる。方法は、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップを含む。方法のさらなるステップが、少なくとも1つの第1の変調シンボルの各々を、それぞれの第1のビットストリームに特有の拡散系列を使用して拡散して、第2の変調シンボルセットを生成するステップを含む。方法の別のステップが、第2の変調シンボルセットのうち少なくとも1つをリソース要素マッピングを使用してマッピングするステップを含む。
【００４５】
いくつかの実施形態において、命令は、プロセッサにより実行されたときにプロセッサに、上述された方法の実施形態のうち任意のものを実行させる。
【００４６】
開示の別の態様によれば、多元接続(MA)信号を復号する方法が提供される。方法は、MA信号を受信するステップと、MA信号を復号するための変調タイプ、拡散系列、およびシンボル対リソース要素マッピングの少なくとも1つのセットを決定するステップと、MA信号を復号するステップと、を含む。
【００４７】
いくつかの実施形態において、MA信号を復号するための変調タイプ、拡散系列、およびシンボル対リソース要素マッピングの少なくとも1つのセットを決定するステップは、送信機により送出される変調タイプ、拡散系列、およびシンボル対リソース要素マッピングの指示に基づいて、もしくはブラインド検出により、またはこれらの組み合わせにより、決定することを含む。
【００４８】
開示のさらなる態様によれば、多元接続(MA)信号を受信するように構成されたデバイスが提供される。デバイスは、プロセッサと、コンピュータ実行可能命令を記憶したコンピュータ読取可能記憶媒体とを含み、コンピュータ実行可能命令は、プロセッサにより実行されたときに、プロセッサに方法を実行させる。方法は、MA信号を受信するステップと、MA信号を復号するための変調タイプ、拡散系列、およびシンボル対リソース要素マッピングの少なくとも1つのセットを決定するステップと、MA信号を復号するステップと、を含む。
【００４９】
いくつかの実施形態において、MA信号を復号するための変調タイプ、拡散系列、およびシンボル対リソース要素マッピングの少なくとも1つのセットを決定するステップは、送信機により送出される変調タイプ、拡散系列、およびシンボル対リソース要素マッピングの指示に基づいて、もしくはブラインド検出により、またはこれらの組み合わせにより、決定することを含む。
【００５０】
本開示の実施形態の他の態様および特徴が、以下の説明を読んだ当業者に明らかになる。
【図面の簡単な説明】
【００５１】
次に、本願の実施形態の例が添付の図面を参照してより詳細に説明される。
【図１】データを通信するための無線ネットワークを示すブロック図である。
【図２Ａ】図１の例示的な電子デバイス(Electronic  Device、ED)構造を示すブロック図である。
【図２Ｂ】図１の例示的な基地局構造を示すブロック図である。
【図３】非直交多元接続(non-orthogonal  multiple  access、NoMA)方式を実施することに使用できる装置の一例を示すブロック図である。
【図４Ａ】アプリケーションの態様に従って種々の多元接続方式を生成するために使用され得る例示的フレームワークを示す概略図である。
【図４Ｂ】アプリケーションの態様に従って種々のMA方式を生成するために使用され得る別の例示的フレームワークを示す概略図である。
【図５】本出願の一態様によるフレームワークから導出された例示的なMA方式を示す概略図である。
【図６】本出願の一態様によるフレームワークから導出された別の例示的なMA方式を示す概略図である。
【図７】本出願の一態様によるフレームワークから導出された別の例示的なMA方式を示す概略図である。
【図８】本出願の一態様によるフレームワークから導出された別の例示的なMA方式を示す概略図である。
【図９】本出願の一態様によるフレームワークから導出された例示的なMA方式を示す概略図である。
【図１０】本出願の一態様によるフレームワークから導出された例示的なMA方式を示す概略図である。
【図１１】本出願の一態様によるフレームワークから導出された例示的なMA方式を示す概略図である。
【図１２】本出願の一態様による16QAMコンステレーションを再ラベル付けする例を示す概略図である。
【図１３】本出願の一態様による16QAMコンステレーションを再マッピングする別の例を示す概略図である。
【図１４】本出願の一実施形態による例示的方法のフロー図である。
【図１５】本出願の一実施形態による例示的方法のフロー図である。
【図１６】本出願の一態様によるMA信号を送信するための例示的なユーザ装置(user  equipment、UE)のブロック図である。
【図１７】本出願の一態様によるMA信号を送信するための例示的なネットワーク側受信機のブロック図である。
【図１８】本出願の一態様によるMA信号を受信するための例示的な装置のブロック図である。
【発明を実施するための形態】
【００５２】
最初に、本開示の1つ以上の実施形態の例示的な実施形態が以下に提供されるが、開示されたシステムおよび/または方法は、任意の数の手法を用いて実施可能であることが理解されるべきである。本開示は、本明細書に図示および説明される設計および実装を含む、以下に説明される例示的な実装、図面、および手法に限定されてはならないが、添付の特許請求の範囲の範囲内でそれらの等価物の全範囲と共に変更されてもよい。
【００５３】
多元接続(MA)手法は、一般に、複数の信号が所与の共有リソース上で1つ以上の送信機から1つ以上の受信機に同時に送信されることを可能にする。共有リソースは、時間リソース、周波数リソース、空間リソース、またはこれらの何らかの組み合わせを含み得る。下りリンク(downlink、DL)シナリオでは、送信ポイント(transmit  point、TP)、受信ポイント(receive  point、RP)、進化型ノードB(eNode  BまたはeNB)、またはアクセスポイントとしても時に知られる送受信ポイント(transmit  receive  point、TRP)などのネットワーク側デバイスが、複数の別個のユーザ装置(UE)に送信できる。用語「UE」は、移動局(station、STA)または他の無線対応デバイスなどのネットワーク側デバイスとの無線接続を確立することができる任意のコンポーネント(またはコンポーネントの集合)を指す。上りリンク(uplink、UL)シナリオでは、複数のUEがネットワーク側受信機に送信できる。
【００５４】
図１は、例示的な通信システム1600を示す。一般に、システム1600は、複数の無線または有線ユーザがデータおよび他のコンテンツを送信および受信することを可能にする。システム1600は、符号分割多元接続(code  division  multiple  access、CDMA)、時分割多元接続(time  division  multiple  access、TDMA)、周波数分割多元接続(frequency  division  multiple  access、FDMA)、直交FDMA(orthogonal  FDMA、OFDMA)、または単一キャリアFDMA(single-carrier  FDMA、SC-FDMA)などの1つ以上のチャネルアクセス方法を実装し得る。
【００５５】
この例では、通信システム100は、電子デバイス(ED)1610a〜1610c、無線アクセスネットワーク(radio  access  networks、RAN)1620a〜1620b、コアネットワーク1630、公衆交換電話ネットワーク(public  switched  telephone  network、PSTN)1640、インターネット1650、および他のネットワーク1660を含む。特定の数のこれらコンポーネントまたは要素が図１に示されているが、任意の数のこれらコンポーネントまたは要素がシステム1600に含まれてもよい。
【００５６】
ED1610a〜1610cは、システム1600内で動作および/または通信するように構成される。例えば、ED1610a〜1610cは、無線または有線通信チャネルを介して送信および/または受信するように構成される。各ED1610a〜1610cは、任意の適切なエンドユーザデバイスを表し、ユーザ装置/デバイス(UE)、無線送信/受信ユニット(wireless  transmit/receive  unit、WTRU)、移動局、固定または移動加入者ユニット、セルラ電話、パーソナルデジタルアシスタント(personal  digital  assistant、PDA)、スマートフォン、ラップトップ、コンピュータ、タッチパッド、無線センサ、または消費者電子機器デバイスのようなデバイスを含んでもよい(またはこれらとして参照されてもよい)。
【００５７】
ここで、RAN1620a〜1620bは、それぞれ、基地局1670a〜1670bを含む。各基地局1670a〜1670bは、コアネットワーク1630、PSTN1640、インターネット1650、および/または他のネットワーク1660へのアクセスを可能にするために、ED1610a〜1610c(本明細書ではUE1610a〜1610cとも呼ばれ得る)の1つ以上と無線でインターフェースするように構成される。例えば、基地局1670a〜1670bは、基地送受信局(base  transceiver  station、BTS)、Node-B(NodeB)、進化型NodeB(eNodeB)、ホームNodeB、ホームeNodeB、サイトコントローラ、アクセスポイント(access  point、AP)、または無線ルータなどの、いくつかの周知のデバイスのうち1つ以上を含んで(または該1つ以上であって)もよい。ED1610a〜1610cは、インターネット1650とインターフェースし通信するように構成され、コアネットワーク1630、PSTN1640、および/または他のネットワーク1660にアクセスし得る。
【００５８】
図１に示す実施形態では、基地局1670aは、RAN1620aの一部を形成し、RAN1620aは、他の基地局、要素、および/またはデバイスを含んでもよい。また、基地局1670bは、RAN1620bの一部を形成し、RAN1620bは、他の基地局、要素、および/またはデバイスを含んでもよい。各基地局1670a〜1670bは、時に「セル」と呼ばれる特定の地理的領域またはエリア内で無線信号を送信および/または受信するように動作する。いくつかの実施形態では、各セルについて複数の送受信機を有するマルチプルインプットマルチプルアウトプット(multiple-input  multiple-output、MIMO)技術が採用されてもよい。
【００５９】
基地局1670a〜1670bは、無線通信リンクを使用して1つ以上のエアインターフェース1690を通じてED1610a〜1610cの1つ以上と通信する。エアインターフェース1690は、任意の適切な無線アクセス技術を利用してもよい。
【００６０】
システム1600は、上述したような方式を含む複数チャネルアクセス機能性を使用してもよいと考えられる。特定の実施形態では、基地局およびEDは、LTE、LTE-A、LTE-B、および/または他の第4世代または第5世代(例えば、ニューラジオ(New  Radio))無線アクセス技術および無線プロトコルを実装する。当然ながら、他の多元接続方式、RATおよび/または無線プロトコルが利用されてもよい。
【００６１】
RAN1620a〜1620bは、コアネットワーク1630と通信し、ED1610a〜1610cに音声、データ、アプリケーション、ボイスオーバーインターネットプロトコル(Voice  Over  Internet  Protocol、VoIP)、または他のサービスを提供する。理解できるように、RAN1620a〜1620bおよび/またはコアネットワーク1630は、1つ以上の他のRAN(図示せず)と直接的または間接的に通信してもよい。コアネットワーク130はまた、他のネットワーク(PSTN1640、インターネット1650、および他のネットワーク1660など)のためのゲートウェイアクセスとして機能し得る。さらに、ED1610a〜1610cの幾つかまたは全ては、異なる無線技術および/またはプロトコルを使用して異なる無線リンクを通じて異なる無線ネットワークと通信するための機能性を含んでもよい。無線通信の代わりに(またはそれに加えて)、EDは、有線通信チャネルを介してサービスプロバイダまたはスイッチ(図示せず)に、およびインターネット1650に対して通信してもよい。
【００６２】
図１は通信システムの一例を示すが、図１に種々の変更が行われてもよい。例えば、通信システム1600は、任意の数のED、基地局、ネットワーク、または他のコンポーネントを任意の適切な構成において含むことができる。
【００６３】
図２Ａおよび２Ｂは、本開示による方法および教示を実施し得る例示的なデバイスを示す。特に、図２Ａは例示的なED1610を示し、図２Ｂは例示的な基地局1670を示す。これらのコンポーネントは、システム100においてまたは任意の他の適切なシステムにおいて使用できる。
【００６４】
図２Ａに示すように、ED1610は、少なくとも1つの処理ユニット1700を含む。処理ユニット1700は、ED1610の様々な処理動作を実施する。例えば、処理ユニット1700は、信号符号化、データ処理、電力制御、入力/出力処理、またはED1610がシステム1600内で動作することを可能にする任意の他の機能性を実行することができる。処理ユニット1700はさらに、上記でより詳細に説明された方法および教示をサポートする。各処理ユニット1700は、1つ以上の動作を実行するように構成された任意の適切な処理または計算デバイスを含む。各処理ユニット1700は、例えば、マイクロプロセッサ、マイクロコントローラ、デジタル信号プロセッサ、フィールドプログラマブルゲートアレイ、または特定用途向け集積回路を含むことができる。図２Ａには単一の処理ユニットのみが示されているが、ED1610内に上述の動作を実行する複数の処理ユニットが存在し得る。
【００６５】
ED1610は、少なくとも1つの送受信機1702をさらに含む。送受信機1702は、少なくとも1つのアンテナまたはNIC(ネットワークインターフェースコントローラ(Network  Interface  Controller))1704による送信のためにデータまたは他のコンテンツを変調するように構成される。送受信機1702は、少なくとも1つのアンテナ1704によって受信されたデータまたは他のコンテンツを復調するようにさらに構成される。各送受信機1702は、無線または有線送信のための信号を生成し、および/または無線または有線で受信された信号を処理するための、任意の適切な構造を含む。各アンテナ1704は、無線または有線信号を送信および/または受信するための任意の適切な構造を含む。1つまたは複数の送受信機1702がED1610において使用でき、1つまたは複数のアンテナ1704がED1610において使用できる。単一の機能ユニットとして示されているが、送受信機1702は、少なくとも1つの送信機および少なくとも1つの別個の受信機を使用して実装されてもよい。
【００６６】
ED1610は、1つ以上の入力/出力デバイス1706またはインターフェース(インターネット1650への有線インターフェースなど)をさらに含む。入力/出力デバイス1706は、ネットワーク内のユーザまたは他のデバイスとの相互作用(ネットワーク通信)を容易にする。各入力/出力デバイス1706は、ネットワークインターフェース通信を含む、スピーカ、マイクロホン、キーパッド、キーボード、ディスプレイ、またはタッチスクリーンなどの、情報をユーザに提供し、またはユーザから情報を受信/提供するための任意の適切な構造を含む。
【００６７】
さらに、ED1610は、少なくとも1つのメモリ1708を含む。メモリ1708は、ED1610によって使用され、生成され、または収集された命令およびデータを記憶する。例えば、メモリ1708は、処理ユニット1700によって実行されるソフトウェアまたはファームウェア命令、および入来信号における干渉を低減または除去するために使用されるデータを記憶することができる。各メモリ1708は、任意の適切な揮発性および/または不揮発性記憶および検索デバイスを含む。ランダムアクセスメモリ(random  access  memory、RAM)、読取専用メモリ(read  only  memory、ROM)、ハードディスク、光ディスク、加入者識別モジュール(subscriber  identity  module、SIM)カード、メモリスティック、セキュアデジタル(secure  digital、SD)メモリカード等などの任意の適切なタイプのメモリが使用されてもよい。
【００６８】
図２Ｂに示すように、基地局1670は、少なくとも1つの処理ユニット1750、送信機および受信機の機能性を含む少なくとも1つの送受信機1752、1つ以上のアンテナ1756、少なくとも1つのメモリ1758、および1つ以上の入力/出力デバイスまたはインターフェース1766を含む。当業者に理解されるであろうスケジューラ1753が、処理ユニット1750に結合される。スケジューラ1753は、基地局1670内に含まれてもよく、または基地局1670とは別個に動作してもよい。処理ユニット1750は、信号符号化、データ処理、電力制御、入力/出力処理、または任意の他の機能性などの基地局1670の種々の処理動作を実施する。処理ユニット1750はさらに、上記でより詳細に説明された方法および教示をサポートすることができる。各処理ユニット1750は、1つ以上の動作を実行するように構成された任意の適切な処理または計算デバイスを含む。各処理ユニット1750は、例えば、マイクロプロセッサ、マイクロコントローラ、デジタル信号プロセッサ、フィールドプログラマブルゲートアレイ、または特定用途向け集積回路を含むことができる。
【００６９】
各送受信機1752は、1つ以上のEDまたは他のデバイスへの無線または有線送信のための信号を生成するための任意の適切な構造を含む。各送受信機1752は、1つ以上のEDまたは他のデバイスから無線でまたは有線により受信された信号を処理するための任意の適切な構造をさらに含む。送受信機1752として組み合わせられて示されるが、送信機および受信機が別個のコンポーネントでもよい。各アンテナ1756は、無線または有線信号を送信および/または受信するための任意の適切な構造を含む。共通のアンテナ1756が送受信機1752に結合されるとしてここで示されるが、1つ以上のアンテナ1756が送受信機1752に結合されてもよく、別個のコンポーネントとして装備される場合に送信機および受信機に、別個のアンテナ1756が結合されることを可能にする。各メモリ1758は、任意の適切な揮発性および/または不揮発性記憶および検索デバイスを含む。各入力/出力デバイス1766は、ネットワーク内のユーザまたは他のデバイスとの相互作用(ネットワーク通信)を容易にする。各入力/出力デバイス1766は、ネットワークインターフェース通信を含む、ユーザに情報を提供し、またはユーザから情報を受信/提供するための任意の適切な構造を含む。
【００７０】
いくつかの実施形態では、ED1610、1670は各々、図２Ａおよび図２Ｂに示されるコンポーネントのサブセットのみを含み、本明細書に記載される動作を実行し得る。例えば、ED1610、1670は、処理ユニット1700、1750またはメモリ1708、1758と結合された処理ユニット1700、1750のみを含んでもよい。これらの実施形態では、ED1610、1670は、ネットワーク内の他のデバイスとの無線通信を可能にするインターフェースまたは通信モジュールをさらに含んでもよい。図示しないが、インターフェースまたは通信モジュールは、変調器、増幅器、アンテナ、および/または送信チェーンの他のモジュールもしくはコンポーネントを含むことができ、あるいは代替的に、別個の(無線周波数(Radio-Frequency)  -  RF)通信モジュールとインターフェースするように構成されてもよい。例えば、ED1610、1670の処理ユニット1700、1750およびメモリ1708、1758のいずれかまたは両方が、別個の(RF)ユニットによる送信のために本明細書で説明される多元接続(MA)信号を生じるように、ハードウェアまたは回路において(例えば、1つ以上のチップセット、マイクロプロセッサ、特定用途向け集積回路(application-specific  integrated  circuits、ASIC)、フィールドプログラマブルゲートアレイ(field-programmable  gate  arrays、FPGA)、専用論理回路、またはこれらの組み合わせにおいて)実装されてもよい。
【００７１】
本明細書に開示する実施形態は、例えば、非直交多元接続(NoMA)を含むがこれに限定されない、多元接続シナリオに適用可能である。図３は、NoMA方式を実装することに使用できる装置の一例を示すブロック図である。
【００７２】
図３は、FEC符号化器20、ビットレベルインターリーバ/スクランブラ22、変調シンボル系列生成器24、およびシンボル対REマッパ26として機能するユニットを含む、NoMA信号を生成するためのフレームワークの一部であってもよい信号処理動作の集合を実装する装置10の一例を示す。ビットレベル動作およびシンボルレベル動作もまた、図３においてそれぞれ12、14でラベル付けされる。
【００７３】
情報ビットのストリームが、前方誤り訂正(forward  error  correction、FEC)符号化を実行するために、FEC符号化器20に提供される。情報ビットは、低密度パリティチェック(low  density  parity  check、LDPC)符号、ターボ(Turbo)符号、ポーラ(polar)符号、または他のタイプの符号であってもよいFECチャネル符号で処理される。一実施形態では、K個の情報ビットのブロックが符号化され、N>K個の符号化ビットが生成される。
【００７４】
次に、符号化ビットは、ビットレベルインターリーブ/スクランブルのために、ビットレベルインターリーバ/スクランブラ22に提供される。ビットレベルインターリーバ/スクランブラ22では、符号化ビットはインターリーブおよび/またはスクランブルされ、インターリーブ/スクランブルビットが生成される。ビットレベルインターリーバ/スクランブラ22は、ユーザ(または受信機)特有であってよく、それにより各ユーザまたは受信機が特定のインターリーバ/スクランブラ系列または方式に関連付けられ、あるいは、セル特有のインターリーバ/スクランブラ系列に関連付けられ、それにより特定のインターリーバ/スクランブラ系列または方式がネットワーク内の各セルまたはサービスエリア内の受信機に適用される。
【００７５】
ビットレベルインターリーバ/スクランブラ22からの符号化ビットの出力は、変調シンボルレベル系列生成器24に提供される。変調シンボルレベル系列生成器24は、符号化ビットからシンボルを生成する。変調シンボル系列生成器24において、インターリーブ/スクランブルビットは、さらなるシンボルレベル拡散動作を伴いまたは伴わず、変調シンボルにマッピングされる。ビット対シンボルマッピングは、1つまたは複数のビット対1つまたは複数のシンボルであり得る。シンボルレベル拡散は、1つまたは複数の段階を含み得る拡散符号でシンボルを乗算することを含み得、拡散符号の長さは各段階で異なり得る。
【００７６】
図３には特に示されていないが、変調シンボルレベル系列生成器24の出力は、シンボルプリコーディングを実行するシンボル系列プリコーダに提供されてもよい。このようなプリコーディングは、送信信号のピーク対平均電力比(peak  to  average  power  ratio、PAPR)を低減することを意図することができ、これは、送信信号のカバレッジを改善し得る。OFDM波形の場合、離散フーリエ変換(discrete  Fourier  transform、DFT)プリコーディングが使用されてもよい。
【００７７】
いくつかの実施形態においてプリコードされていてもよいシンボル系列が、シンボル対リソース要素(resource  element、RE)マッパ26に提供される。変調シンボルは、さらなるシンボルレベルのインターリーブ/スクランブルを伴いまたは伴わず、送信のためにリソース要素にマッピングされる。シンボルレベルインタリーバ/スクランブラは、ユーザ特有であってよく、それにより各ユーザが特定のシンボルレベルインタリーバ/スクランブラ系列または方式を有し、あるいは、セル特有であってよく、特定のシンボルレベルインタリーバ/スクランブラ系列または方式がネットワークの各セルまたはカバレッジエリア内の受信機に適用される。いくつかの実施形態では、シンボル系列プリコーダはシンボル対リソース要素(RE)マッパの後にも使用できる。
【００７８】
他の動作または特徴も実装可能である。例えば、波形変調器は、シンボルがREにマッピングされた後に、エアを通じて送信される実際の信号を生成するために実装されてもよい。
【００７９】
図３に示されるフレームワークによれば、情報ビットは、最初にFEC符号化器を用いて符号化され、セル特有、UE特有、またはUEから送信されるMA信号が複数のレイヤを含む場合には一般的なレイヤ特有であり得る符号化ビットに、ビットレベルインターリーブ/スクランブルが適用される。これらはビットレベル動作である。変調シンボル系列生成とシンボル対REマッピングとを含むUE特有またはより一般的にはレイヤ特有のシンボルレベル動作が適用される。このようなフレームワークは、多重された受信機の信号をより効率的に復号する際に受信機を助け得る。
【００８０】
図３は、開示された実施形態が適用できる多元接続シナリオの単に例示的な例として意図されている。本明細書に開示する実施形態は、例えば、図３の24における変調シンボル系列生成を実施するために使用できる。
【００８１】
NoMAは一般に、複数の信号が所与の共有リソース上で1つ以上の送信機から1つ以上の受信機に同時に送信されることを可能にする。共有リソースは、時間リソース、周波数リソース、空間リソース、またはこれらの何らかの組み合わせを含み得る。下りリンク(DL)シナリオでは、ネットワーク側デバイスは複数の別個のユーザ装置(UE)に送信できる。上りリンク(UL)シナリオでは、複数のUEがネットワーク側受信機に送信できる。
【００８２】
UL  NoMAシナリオでは、UEは、複数のトーン(tones)での送信のためのシンボルになるように、1つ以上のレイヤに配置された情報ビットを処理する。NoMAでは、信号を受信する受信機において、複数のUEからのシンボルの衝突が存在する可能性がある。NoMA手法は、UEまたはレイヤに特有であるいくつかのUE特有の(および/またはユーザ特有の)またはレイヤ特有の特徴をそれぞれ適用することによって、複数のUEからの送信信号を区別しようと試みてもよい。
【００８３】
このようなUE特有の(および/またはユーザ特有の)またはレイヤ特有の(または両方の)特徴または信号処理動作に基づいて、区別可能な多元接続方式が開発できる。これらの信号処理動作は、FEC、ビットレベルインターリーブ/スクランブル、変調シンボル系列生成器、およびシンボル対REマッピングを含み得るが、これらに限定されない。
【００８４】
信号処理動作の特定のセットの選択に基づいてMA信号を生成するためのフレームワークが提案される。信号処理動作のコアグループは、変調、拡散行列、およびシンボル対リソース要素(RE)マッピングを含む。これらに限定されないが、位相または電力調整動作、実数および虚数部を分離すること、ならびに第1のコンステレーション(constellation)対第2のコンステレーションマッピングなどの、実行されるさらなる信号処理動作が存在し得る。各々が信号処理動作の異なるサブセットを含む種々のMA方式は、フレームワークを使用して導出することができる。このようなフレームワークは、MAを使用して、所望の性能基準を満たす信号処理動作のセットを有するMA方式を選択するように構成された送信機によって使用できる。
【００８５】
図４Ａは、MA信号を生成するためのフレームワーク100の一部であり得る信号処理動作の例を示す。MA信号として送信するためのビットb0、b1、...br-1を含むビットストリームが、分割されて複数のサブストリーム110a、110b、...、110rを形成する。3つのサブストリームが示されているが、サブストリームの数は3より大きくても小さくてもよいことが理解されるべきである。各サブストリーム110a、110b、110rは、それぞれの変調器115a、115b、..、115rに入力される。変調器は、グレイラベル付け(Gray  labeling)などのベースラインラベル付けを有する、直交振幅変調(Quadrature  Amplitude  Modulation、QAM)を含むベースライン変調器であってもよい。変調器115a、115b、...、115rによって実行される変調は、異なるサブストリーム110a、110b、...、110rに対して異なってもよい。
【００８６】
図４Ａには、破線で示される幾つかのさらなる任意的な処理ブロックが示されている。図４Ａの任意的な処理ブロックは、電力および/または位相調整処理ブロック120a、120b、..、120rおよび実数/虚数分離処理ブロック125a、125b、..、125rを含む。電力および/または位相調整処理ブロック120a、120b、..、120rは、それぞれの変調器の出力の位相または電力が調整されることを可能にする。いくつかの実施形態では、電力および/または位相処理ブロックによって実行される動作は成分拡散行列(component  spreading  matrix)に組み込まれてもよく、それにより、動作の全てが単一の行列乗算によって実行される。実数/虚数分離処理ブロック125a、125b、..、125rは、それぞれの変調器の出力が処理ブロックの出力の実数部と処理ブロックの出力の虚数部とに分解されることを可能にする。
【００８７】
対応する変調器115a、115b、...115rによるそれぞれのビットストリームから、または対応する任意的な変調器後の(post-modulator)信号処理ブロック120a、120b、...120r、125a、125b、...125rから出力されるシンボルは、成分(component)と呼ばれ得る。次に、拡散が各成分に別個に適用でき、それにより、拡散は、特定の成分の各シンボルをシンボルのセットにマッピングする成分特有の拡散とみなされ得る。したがって、いくつかの実施形態では、拡散動作はマッピング動作と呼ばれ得る。拡散動作が線形であるとき、それは、図４Ａのフレームワークにおいて成分拡散行列130の形式で表すことができる。成分拡散行列は、n個の列およびm個の行を有するとみなされてもよく、ここで、nとmは任意の整数値でよい。n=1でmが≧1の場合、行列は、m個の要素を有するベクトルまたは拡散系列を表してもよい。同様に、m=1でnが≧1の場合、行列は、n個の要素を有するベクトルまたは拡散系列を表してもよい。当業者は、行列が、各ベクトルがm個の要素を有するn個のベクトルまたは拡散系列のセットであるとみなされ得ることも理解するであろう。成分拡散行列は、単に拡散行列とも呼ばれ得る。成分拡散行列のn列の各々は、変調器から出力される1つ以上の変調シンボルのグループを拡散/マッピングするために使用される拡散系列のm個の要素のセットを表し得る。いくつかの実施形態では、拡散/マッピング動作は、乗算演算によって実行される。拡散行列の出力は、拡散行列に適用される成分の各々(各変調シンボル)を、シンボルのセットまたは系列に拡散し、あるいはマッピングする。シンボルのセットまたは系列は、同じまたは異なるコンステレーションからであってもよく、同じまたは異なる順序を有してもよい。
【００８８】
幾つかの実装では、成分拡散行列130は、列の数が成分の数に対応するように定義できる。別の実装では、列の数は固定値として設定され、送信信号のプロパティ、例えば、すべての成分が同じ成分によって生成される場合における変調次数にマッピングされ得る。行列内の列数よりも少ない成分が存在する場合、成分拡散行列130内の列のいくつかはゼロになる。例えば、変調次数が4である場合、非ゼロ列の数は2であるように構成できる。
【００８９】
別の実装では、成分拡散行列は、これらに限定されないがBPSKおよびπ/2-BPSKを含む、所与の固定変調に基づいて定義できる。成分拡散行列がBPSKおよび/またはπ/2-BPSKに基づいて定義される場合、列の数は変調次数に等しくなる。
【００９０】
実数/虚数分離が必要とされない、すなわち、任意的な実数/虚数分離処理ブロック125a、125b、..、125rが使用されない場合、成分の実数および虚数部の両方が、同じ拡散系列を使用してもよい。このような場合、成分拡散行列130は、実数/虚数部の各ペアについて1つの拡散列のみを含むように簡素化され得る。
【００９１】
成分拡散行列130の出力は、送信されるMA信号を構築するために、シンボル対リソース要素(RE)マッピング処理ブロック135に提供される。
【００９２】
シンボル対REマッピング処理ブロック135によって実行されるマッピングは、使用されるMA方式に依存して、スパースマッピングまたは非スパースマッピングであり得る。スパースマッピングは、異なるスパース性レベルを有するように構成できる。
【００９３】
また、成分拡散行列130、および/または信号対REマッピング処理ブロック135によって実行される信号対REマッピングは、複数のUEから受信される信号の復号を簡素化するために、UE特有またはレイヤ特有であってもよいことが留意されるべきである。成分拡散行列130は、特定のUEまたはレイヤに対応する所与の成分または入力ストリームに対応する行列内の値、すなわち、所与の列内の拡散系列を利用することにより、UE特有の方法で実装できる。REマッピング処理ブロック135は、特定のUEまたはレイヤに対応する特定のマッピングを利用することによって、UE特有の方法で実装できる。
【００９４】
成分拡散行列130およびシンボル対REマッピング処理ブロック135は組み合わせられ、拡張成分拡散行列を結果として生じることができる。このような組み合わせられた拡張成分拡散行列は、行列の一部としてカバー符号(cover  code)を適用する可能性も可能にし得る。カバー符号は、複素数の系列である。カバー符号は、所与のアルファベット(alphabet)またはいくつかの基準に基づく構造化された方法からランダムに選択される要素を有する擬似ランダムであってもよい。いくつかの実施形態では、カバー符号の要素は、単位振幅を有する。UE特有のカバー符号は、複数のUEによって同時に送信される信号の分離におけるさらなる自由度を提供し、従って、より良い受信を提供する。いくつかの実施形態では、カバー符号は、成分特有の行列に適用されてもよい。
【００９５】
拡張成分拡散行列の例では、結果として生じる行列内の行の数は、拡散係数に対応する。
【００９６】
結果として生じる拡張成分拡散行列は、異なるタイプのMA方式を区別する。行列はMA方式のタイプを定義する。行列の選択は、要求される重要パラメータ指標(key  parameter  indicators、KPI)、アプリケーションシナリオおよびスペクトル効率(spectral  efficiency、SE)要件の少なくとも1つに基づくことができる。
【００９７】
いくつかの実施形態では、シンボル対REマッピング処理ブロック135は、成分特有のマッピングを利用してもよい。
【００９８】
図４Ｂは、図４Ａに類似するがコンステレーション対コンステレーションマッピング処理ブロック123a、123b、...、123rを有するフレームワーク150のさらなるバージョンを示す。コンステレーション対コンステレーションマッピングの例は、図１２および図１３に関して以下に提供される。電力/位相調整処理ブロック120a、120b、..、120rはフレームワーク150に含まれるが、依然としてフレームワーク150への任意的な追加と考えられる。いくつかの実施形態では、例えば図４Ａに示すような実数/虚数分離処理ブロックが、コンステレーション再マッピング処理ブロック123a、123b、...、123rの前に含まれてもよい。
【００９９】
図４Ａまたは図４Ｂの基本フレームワークから生じる異なる組み合わせの例が、図５、６、７、８、９、１０、１１、１２、および１３を参照して以下に説明される。
【０１００】
開示されたフレームワークに基づいて、提案されたMA方式は、線形拡散とも呼ばれるマルチ成分拡散または単一成分拡散に分類され得る。
【０１０１】
幾つかの実装形態では、マルチ成分拡散は、スパースコード多元接続(Sparse  Code  Multiple  Access、SCMA)に見られるような任意の成分拡散行列を使用することを含み得る。マルチ成分拡散は、柔軟な成分特有のスパース性レベルを含んでもよい。いくつかの実施形態では、マルチ成分拡散は、アイデンティティ成分拡散行列(identity  component  spreading  matrix)を使用することを含み得る。
【０１０２】
幾つかの実装では、単一成分拡散は、レイヤ特有の拡散系列、またはレイヤ特有のスパース性パターン、またはその両方を使用することを含み得る。レイヤ特有の拡散系列は、系列の要素が所与のアルファベットからランダムに選択されるか、またはいくつかの基準に基づいて構造化された方法で定義される、擬似ランダムな方法で定義されてもよい。
【０１０３】
図４Ａおよび４Ｂに示される信号処理動作の全てが、フレームワークから開発された所定のMA方式において必ずしも必要とされるわけではないことを理解されたい。図４Ａおよび４Ｂは、フレームワークに含まれる種々の信号処理動作の例を示すことを意図している。他の信号処理動作は排除されない。
【０１０４】
図５は、MA信号を生成するためのフレームワークから導出される信号処理動作の特定の配置の第1の例200である。この第1の例200では、ビットb0、b1のペアが2つのサブストリーム210a、210bに分離され、個々のビットが2つの別個の二位相シフトキーイング(BPSK)変調器215a、215bに提供される。各BPSK変調器215a、215bから出力される成分は、成分拡散行列230によって乗算される。成分を拡散するために使用される特定の成分拡散行列230は、以下のとおりである。
【数１】
2019537395.tif 000032
【０１０５】
行列内の列の数は2に等しく、成分の数に等しく、すなわちBPSK変調器215a、215bの各々から1つである。この場合、列数は変調サイズにさらに対応する。
【０１０６】
図示していないが、例200にも位相調整処理ブロックが存在してもよい。
【０１０７】
次に、成分拡散行列230の出力は、シンボル対REマッピング処理ブロック235に提供される。例200は、4点3投影コンステレーションを生成するために使用され得る。行の数は、コードブック内の非ゼロ要素の数を決定し得る。
【０１０８】
成分拡散行列230をシンボル対REマッピング235と組み合わせて拡張成分拡散行列を生成する場合、カバー符号に成分拡散行列を乗じることが可能である。カバー符号は、擬似ランダムであってもよいし、所定のアルファベットで構造化されていてもよい。いくつかの実施形態では、カバー符号は、成分特有の行列に適用されてもよい。
【０１０９】
図６は、MA信号を生成するためのフレームワークから導出される信号処理動作の特定の配置の別の例300である。例300では、ビットb0、b1、b2のセットが、複数のサブストリーム310a、310bおよび310cを形成するように分離され、各ビットは、3つのBPSK変調器315a、315b、315cのうちの1つに提供される。BPSK変調器315bおよび315cの各々から出力される成分は、それぞれ、電力調整ブロック320bおよび320cに提供される。BPSK変調器315aおよび2つの電力調整ブロック320bおよび320cからの成分出力は、成分拡散行列330で乗算される。成分を拡散するために使用される特定の成分拡散行列330は、以下のとおりである。
【数２】
2019537395.tif 000033
【０１１０】
例300では、電力調整処理ブロックが成分拡散行列に含まれることも可能である。この場合、成分拡散行列は次のようになる。
【数３】
2019537395.tif 000034
あるいは、同等に、以下のとおりである。
【数４】
2019537395.tif 000035
見てわかるように、第2および第3の拡散成分の電力は、2の係数で増幅されるか、または同等であり、第1の拡散成分の電力は、2の係数で低減される。
【０１１１】
図示していないが、例300にも位相調整処理ブロックが存在してもよい。
【０１１２】
例300では、成分拡散行列330の列の数は3に等しく、これは成分の数および変調サイズに対応する。
【０１１３】
次に、成分拡散行列330の出力は、シンボル対REマッピング処理ブロック335に提供される。例300は、8点4投影コンステレーションを生成するために使用されてもよい。行の数は、コードブック内の非ゼロ要素の数が2に等しいことを示す。
【０１１４】
図７は、MA信号を生成するためのフレームワークから導出される信号処理動作の特定の配置の別の例400である。例400において、個々のビットb0は、単一のストリーム410において単一の変調器415に提供される。これは、例えば、BPSK変調器または直交振幅変調(QAM)変調器であってもよい。変調器415から出力される成分は、成分拡散行列430によって乗算される。成分を拡散するために使用される行列は、従来の拡散系列、例えばCDMAで使用されるタイプであってもよい。線形拡散では、一つの成分しか存在しないので、拡散は、上述のように単一成分拡散と呼ぶことができる。次に、成分拡散行列430の出力は、シンボル対REマッピング処理ブロック435に提供される。
【０１１５】
成分拡散行列430は、単一列行列、すなわちベクトルとして、または拡散系列が第1の列にありゼロが残りの列にある固定数の列を有する行列として表されてもよい。固定数は、変調サイズにリンクされてもよい。
【０１１６】
成分拡散行列430は、BPSK変調を仮定して表されてもよい。この場合、列の数は変調サイズにリンクされ、成分拡散行列の列は次のように書くことができる。
【数５】
2019537395.tif 000036
ここで、Sは拡散系列を表し、(α1,...,αr)はBPSKシンボルからQAMシンボルを生成するために使用されるスカラー数であり、下付き文字rの値は変調サイズにリンクされる。特定の実施形態では、変調が四位相シフトキーイング(QPSK)であるとき、成分拡散行列はS’は、
【数６】
2019537395.tif 000037
の2列の行列として表すことができる。
【０１１７】
図８は、MA信号を生成するためのフレームワークから導出される信号処理動作の特定の配置のさらなる例500である。例500では、ビットb0,...,brのストリームが複数のサブストリーム510a,...,510rに分割され、各ビットは別個の変調器に提供され、これは、図８ではQAM変調器515a,...,515rである。QAM変調器515a,...,515rの各々から出力される成分は、成分拡散行列530によって乗算される。成分を拡散するために例500で使用される特定の行列は、アイデンティティ成分拡散行列Ir×rである。次に、成分拡散行列530の出力は、シンボル対REマッピング処理ブロック535に提供される。
【０１１８】
他の実施形態では、例500の成分拡散行列は、BPSK変調を仮定することに基づいて表すことができる。この場合、成分拡散行列は、次の形式でブロック対角行列になる。
【数７】
2019537395.tif 000038
ここで、(α1,...,αr)はBPSKシンボルから対応するQAMシンボルを生成するために使用できる対応するベクトルである。
【０１１９】
図９は、MA信号を生成するためのフレームワークから導出される信号処理動作の特定の配置の別の例600である。例600では、ビットb0、b1、b2、b3のセットが2つのサブストリーム610a、610bに分割され、次いで、ビットb0、b1およびb2、b3の各ペアは2つの別個の変調器のうちの1つに提供され、これは、図９においてQPSK変調器615a、615bである。QPSK変調器615aおよび615bの各々から出力される成分は、それぞれ、位相回転処理ブロック618aおよび618bに提供される。位相回転処理ブロック618aおよび618bの各々から出力される成分は、それぞれ、実数および虚数分離処理ブロック625aおよび625bに提供される。実数および虚数分離処理ブロック625aおよび625bの各々から出力される成分の実数および虚数部は、成分拡散行列630で乗算される。成分を拡散するために使用される特定の成分拡散行列630は、以下のとおりである。
【数８】
2019537395.tif 000039
【０１２０】
次に、成分拡散行列630の出力は、シンボル対REマッピング処理ブロック635に提供される。例600は、16点コンステレーションを表すために使用されてもよい。位相回転が45度として選択される場合、16点9投影コンステレーションが生成できる。
【０１２１】
図１０は、MA信号を生成するためのフレームワークから導出される信号処理動作の特定の配置の別の例700である。例700において、8ビットb0、b1、b2、b3、b4、b5、b6、b7のセットが4ビットb0、b1、b2、b3およびb4、b5、b6、b7の2つのサブストリームに分割され、これらは各々、2つの別個の変調器、すなわち16点直交振幅変調(16QAM)変調器715a、715bのうちの1つに提供される。16QAM変調器715aおよび715bの各々から出力される成分は、それぞれ位相回転処理ブロック718aおよび718bに供給される。位相回転処理ブロック718aおよび718bの各々から出力される成分は、それぞれ、実数および虚数分離処理ブロック725aおよび725bに供給される。実数および虚数分離処理ブロック725aおよび725bの各々から出力される成分の実数および虚数部は、成分拡散行列730によって乗算される。成分を拡散するために使用される特定の成分拡散行列730は、以下のとおりである。
【数９】
2019537395.tif 000040
【０１２２】
次に、成分拡散行列730の出力は、シンボル対REマッピング処理ブロック735に提供される。例700は、256点コンステレーションを表すために使用されてもよい。位相回転が45度として選択される場合、SCMA256点49投影コードブックが生成できる。
【０１２３】
図１１は、MA信号を生成するためのフレームワークから導出される信号処理動作の特定の配置のさらに別の例800である。例800において、ビットb0,...,brのストリームが複数の1ビットサブストリーム810a,...,810rに分割され、各ビットは別個の変調器に提供され、これは例800において、QAM変調器815a,...,815rである。QAM変調器815a,...,815rの各々から出力される成分は、それぞれのコンステレーション対コンステレーションマッピングブロック823a,...,823rに提供される。コンステレーション対コンステレーションブロック823a,...,823rから出力される成分は、成分拡散行列830によって乗算される。次に、成分拡散行列830の出力は、シンボル対REマッピング処理ブロック835に提供される。各コンステレーション対コンステレーションマッピングブロックは、基本的に、第1のコンステレーションから得られるQAMシンボルを、第2のコンステレーションから得られる第2のシンボルにマッピングする。いくつかの実装において、第1および第2のコンステレーションは同じ数の点を有するが、点は別様にラベル付けされる。これは本質的に、コンステレーション再ラベル付けとなる。他の実装では、第1および第2のコンステレーションは異なる数の点を有する。
【０１２４】
図１２は、16QAMコンステレーション900の特定のグレイラベル付けを示す。16QAMコンステレーションは16点を含み、各点は4ビットのセットによって定義される。図１２はまた、16点の同じ配置を有する2つの異なるコンステレーションマッピング910および920を含むが、点のラベル付けは異なる。例えば、912および922は両方とも1100としてラベル付けされているが、これらはそれぞれのコンステレーションの異なる位置に生じる。この特定の例では、コンステレーション再マッピングは単にコンステレーション再ラベル付けになる。
【０１２５】
図１３は、16QAMコンステレーション1000の特定のグレイラベル付けを示す。16QAMコンステレーションは16点を含み、各点は4ビットシンボル値によって定義される。コンステレーション1010および1020は、低減サイズコンステレーションへの再マッピングの例である。コンステレーション1010および1020は各々9点を含み、各点は4ビットシンボル値によって定義される。コンステレーション1010および1020のコンステレーション点のうちの4つは、1012aおよび1012bで示されるようにそれぞれの点に対して唯一のシンボル値を有し、コンステレーション点のうちの4つは、1014aおよび1014bで示されるようにそれぞれの点に関連付けられた2つのシンボル値を有し、1つのコンステレーション点は、1016で示されるようにその点に関連付けられた4つのシンボル値を有する。コンステレーション1010および1020は同じサイズの低減点コンステレーションを有するが、2つのコンステレーションについてラベル付けが異なる。いくつかの実施形態では、再マッピングは、各成分について異なるビット対シンボルラベル付けを結果として生じ得る。
【０１２６】
提案したフレームワークを用いて、MA方式は、成分拡散行列およびシンボル対REマッピングによって、またはいくつかの実施形態では先に紹介した拡張成分拡散行列によって説明できる。種々のMA方式は、これに限られないがスペクトル効率などの、アプリケーションシナリオおよび必要な物理レイヤ仕様に基づき構成可能である。指定可能な他のパラメータは、変調ベクトルを含む。異なる成分に対して同じ変調器を使用することができる実装において、変調器によって使用される変調次数は、変調および符号化方式(modulation  and  coding  scheme、MCS)および成分の数によって暗黙的に取得できる。いくつかの実施形態では、変調器はBPSKまたはπ/2-BPSKを使用することができ、成分拡散行列(または拡張成分拡散行列)は、変調器によって使用される特定の変調に基づいて定義できる。
【０１２７】
いくつかの実施形態では、成分拡散行列は、UE特有であってもよい。いくつかの実施形態において、シンボル対REマッピングパターン処理ブロックに使用されるシンボル対REマッピングパターンは、UE特有またはレイヤ特有であってもよい。いくつかの実施形態では、位相および/または振幅調整は、a)アプリケーションシナリオ、b)MA送信のための物理レイヤ要件、c)重要パラメータ指標(KPI)およびUE  idおよび/またはレイヤインデックスを満たすことの1つ以上に基づいて決定できる。
【０１２８】
上述されたのは、主に送信機およびMA信号の生成に対応する特徴である。開示の態様はまた、MA信号の受信、およびこれらの信号がどのように復号され得るかに関する。
【０１２９】
受信機が、MA信号を生成するために送信機により使用される変調および符号化方式(MCS)、成分拡散行列、およびシンボル対REマッピング、ならびに他の関連する信号処理方法をひとたび知ると、受信機は、この情報を使用して信号を復号することができる。いくつかの実施形態では、変調サイズは、成分拡散行列から取得できる。他の実施形態では、成分拡散行列は、これらに限られないがスペクトル効率、アプリケーションタイプ、サービス品質(quality  of  service、QoS)要件、チャネル品質指標(channel  quality  indicator、CQI)、および信号対雑音比(SNR)測定を含む、信号の物理レイヤ特性から取得または選択できる。送信機は、行列を選択するために1つ以上の行列選択パラメータを使用することができる。いくつかの実施形態において、行列は、ネットワークによる明示的なシグナリングから取得できる。いくつかの他の実施形態では、行列のプールが前もって生成され、行列インデックスとUE  id、レイヤインデックス、およびこれらに限られないがスペクトル効率、アプリケーションタイプ、QoS要件、CQIおよびSNR測定を含む他の行列選択パラメータとの間のマッピングルールと共に、物理レイヤおよび/またはより高いレイヤのシグナリングを通じてUEに通信され得る。いくつかの他の実施形態では、拡散行列のプールを生成することは、成分拡散行列の構築に使用される複数の拡散系列を生成することを含み得る。成分拡散行列、およびシンボル対REマッピング処理ブロック、ならびにネットワーク側受信機によってMA信号を生成するために送信機により使用される他の関連する信号処理方法の知識は、暗黙的であるか、またはUEからの明示的シグナリングを通じて受信されるかのいずれかか、あるいはこれらの組み合わせであり得る。
【０１３０】
いくつかの実施形態では、暗黙的知識は、送信信号のスペクトル効率、アプリケーションタイプおよびQoS要件などの信号の物理レイヤ特性に基づくことができる。例えば、スペクトル効率と成分拡散行列との間に1対1のマッピングが存在し得る。
【０１３１】
UEがネットワーク側受信機に送信しているUL状況では、ネットワーク側受信機は、UEによって信号を生成するために使用された成分拡散行列およびシンボル対REマッピングならびに他の関連する信号処理方法を知らないことがある。いくつかの実施形態において、MA信号を生成するために送信機によって使用される成分拡散行列および/またはシンボル対REマッピングならびに他の関連する信号処理方法は、UE  idおよび/またはレイヤインデックスにマッピングされてもよい。この場合、ネットワーク側受信機がUEのUEインデックスの知識を有する場合、この知識は、例えば、潜在的な成分拡散行列およびシンボル対REマッピングの探索空間を低減させることによって、成分拡散行列およびシンボル対REマッピングを決定するために使用できる。
【０１３２】
潜在的な成分拡散行列およびシンボル対REマッピングが十分に少ない場合、受信機によるブラインド検出も可能であり得る。
【０１３３】
図１４は、MA信号の送信のための例示的な方法を示すフローチャート1100である。方法のステップは、1つ以上のUEに送信しているネットワーク側デバイスによって、またはネットワーク側受信機に送信している1つ以上のUEによって実行されてもよい。
【０１３４】
ステップ1110は、送信デバイスが少なくとも1つの第1のビットストリームを第1の変調タイプを使用して変調して、少なくとも1つの第1のビットストリームの各々から少なくとも1つの第1の変調シンボルを生成することを含む。各第1のビットストリームは、少なくとも1ビットを含む。
【０１３５】
ステップ1120は、送信デバイスが少なくとも1つの第1の変調シンボルの各々を、それぞれの第1のビットストリームに特有の拡散系列を使用して拡散して、第2の変調シンボルセットを生成することを含む。
【０１３６】
ステップ1130は、送信デバイスが第2の変調シンボルセットのうち少なくとも1つをリソース要素マッピングを使用してマッピングしてMA信号を生成することを含む。
【０１３７】
特に、ネットワーク側デバイスが2つ以上のUEに信号を送信しているときのDLシナリオに対して、または2つ以上の信号レイヤが送信されているときの上りリンクにおいて実行され得る任意的なステップ1135は、ネットワーク側デバイスが、送信の前に別個のUEまたはレイヤの各々に対して生成された、マッピングされた第2の変調シンボルセットを多重することを含む。
【０１３８】
ステップ1140は、送信デバイスがマッピングされた第2の変調シンボルセットをMA信号として送信することを含む。
【０１３９】
さらなる任意的なステップ1150は、送信デバイスがMA信号の受信機に、該受信機がMA信号を復号するのを助け得る情報を通知することを含んでもよい。これは、変調タイプ、成分特有の拡散系列、およびMA信号を復号するためのシンボル対リソース要素マップのうちの1つ以上を受信機に通知することを含み得る。
【０１４０】
例示的な方法1100は、例示的な目的を意図している。上述のフローチャートにおいて任意的として図１４において識別されるステップは、方法の所与の実装において実行されてもよく、実行されなくてもよい。他の実施形態は、様々な方法のいずれかで例示された動作を実行すること、より少ないまたはさらなる動作を実行すること、および/または動作が実行される順序を変更することを含み得る。他の変形例は、本開示に基づいて当業者に明らかであり得るか、または明らかとなり得る。
【０１４１】
UEは、信号処理動作を選択することの責任を負い得るが、UEは、ネットワーク側受信機から情報を受信し、受信された情報に基づいて信号処理動作を選択することができる。また、いくつかの実施形態では、各UEに使用される信号処理動作は、UE  idに基づいて事前定義および/または事前構成される。UEが特定のタイプの信号のみを処理可能であり得るとき、UEが信号動作を選択することの責任を負うことは意味がある。ネットワーク側受信機は、該受信機のUEについての知識に基づいて、異なるUEに対する信号処理動作の異なる選択を提案しまたは割り当てることができる。
【０１４２】
ULシナリオでは、UEはまた、使用されるMA信号のタイプ、すなわちUEによって信号を生成するために使用される信号処理動作のタイプをネットワーク側受信機に知らせるために、ネットワーク側受信機にシグナリングしてもよい。
【０１４３】
図１５は、MA信号を復号するための例示的な方法を示すフローチャート1200である。方法のステップは、1つ以上のUEからMA信号を受信しているネットワーク側デバイスによって、またはネットワーク側送信機から受信している1つ以上のUEによって実行されてもよい。
【０１４４】
ステップ1210は、受信デバイスがMA信号を受信することを含む。
【０１４５】
ステップ1220は、受信デバイスがMA信号を復号するための変調タイプ、成分特有の拡散系列、およびシンボル対リソース要素マッピング、ならびにUEによって信号を生成するために使用された他の関連信号処理方法を含む変数の少なくとも1つのセットを決定することを含む。いくつかの実施形態において、この決定は、UE  id、ブラインド検出、またはUEから受信したシグナリング、またはこれらの組み合わせに基づいてもよい。
【０１４６】
ステップ1230は、受信デバイスがMA信号を復号することを含む。
【０１４７】
図１６は、MA信号の送信のための例示的な装置1300のブロック図である。例示的な装置1300は、UEであってもよく、したがって、キーパッド、ディスプレイスクリーン、スピーカ、マイクロホン等のような、通常そのような装置の一部である種々の要素を有し得る。例示的な装置1300は、プロセッサ1310およびプロセッサ読取可能記憶デバイス1320を含む。プロセッサ読取可能記憶デバイス1320はプロセッサ実行可能命令1330を記憶しており、該プロセッサ実行可能命令1330は、プロセッサ1310によって実行されたときにプロセッサ1310に上述された方法と一致する方法を実行させる。
【０１４８】
図１７は、MA信号の送信のための例示的なネットワーク側装置1400のブロック図である。このようなネットワーク側装置は、他のネットワーク側タスクを実行するための物理的構造を含み、デバイスがそれに応じて動作することを可能にするネットワーク内の任意の場所に配置されてもよい。例示的な装置1400は、プロセッサ1410およびプロセッサ読取可能記憶デバイス1420を含む。プロセッサ読取可能記憶デバイス1420はプロセッサ実行可能命令1430を記憶しており、該プロセッサ実行可能命令1430は、プロセッサ1410によって実行されるたときにプロセッサ1410に上述された方法と一致する方法を実行させる。
【０１４９】
図１８は、MA信号を受信するための例示的な装置1500のブロック図である。例示的な装置は、MA信号を受信および復号することのできるネットワーク側デバイスであってもよい。このようなネットワーク側装置は、他のネットワーク側タスクを実行するための物理的構造を含み、デバイスがそれに応じて動作することを可能にするネットワーク内の任意の場所に配置されてもよい。例示的な装置1500は、プロセッサ1510およびプロセッサ読取可能記憶デバイス1520を含む。プロセッサ読取可能記憶デバイス1520はプロセッサ実行可能命令1530を記憶しており、該プロセッサ実行可能命令1530は、プロセッサ1510によって実行されたときにプロセッサ1510に、1つ以上の送信機から1つ以上のMA信号を受信し、1つ以上のMA信号を復号するための方法を実装させる。
【０１５０】
いくつかの実施形態では、図１６、１７、および１８中のプロセッサは、汎用コンピュータハードウェアプラットフォームのコンポーネントであってもよい。他の実施形態では、プロセッサは、専用ハードウェアプラットフォームのコンポーネントであってもよい。例えば、プロセッサは組み込みプロセッサであってもよく、命令はファームウェアとして提供されてもよい。いくつかの実施形態は、ハードウェアのみを使用することによって実装されてもよい。いくつかの実施形態では、プロセッサによる実行のための命令は、ソフトウェア製品の形態で具体化されてもよい。ソフトウェア製品は、例えば、コンパクトディスク読取専用メモリ(compact  disc  read-only  memory、CD-ROM)、ユニバーサルシリアルバス(universal  serial  bus、USB)フラッシュディスク、またはリムーバブルハードディスクであり得る不揮発性または非一時的記憶媒体に記憶されてもよい。
【０１５１】
本開示の幾つかの実施形態は、定義された処理オペレータに基づく必要な重要性能指標(key  performance  indicator、KPI)に依存して、特定のアプリケーションシナリオのための適切なMA方式の選択を可能にし得る。
【０１５２】
様々な例に従い、送信デバイスを使用する多元接続送信の方法が開示される。第1の例において、送信デバイスは、多元接続(MA)信号を送信するように構成され、送信デバイスは、プロセッサと、コンピュータ読取可能記憶媒体とを含む。コンピュータ読取可能記憶媒体は、コンピュータ実行可能命令を記憶しており、コンピュータ実行可能命令は、プロセッサにより実行されたときに、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップを含む方法を実行する。方法は、少なくとも1つの第1の変調シンボルの各々を、それぞれの第1のビットストリームに特有の拡散系列を使用して拡散して、第2の変調シンボルセットを生成するステップをさらに含む。方法は、第2の変調シンボルセットのうち少なくとも1つをリソース要素マッピングを使用してマッピングするステップと、マッピングされた第2の変調シンボルセットをMA信号として送信するステップとをさらに含む。
【０１５３】
第2の例において、第1の例の送信デバイスが提供され、拡散およびマッピングは単一の動作として実行される。第3の例において、第1又は第2の例のいずれかの送信デバイスにより実行される方法は、第2のビットストリームを複数の第1のビットストリームに分解するステップをさらに含む。第4の例において、第1乃至第3の例のうちいずれかの送信デバイスにより実行される方法は、少なくとも1つの第1の変調シンボルの位相もしくは電力または双方を調整するステップをさらに含む。第5の例において、第1乃至第4の例のうちいずれかの送信デバイスにより実行される方法は、少なくとも1つの第1の変調シンボルの実数および虚数部を分離するステップをさらに含む。第6の例において、第1乃至第5の例のうちいずれかの送信デバイスにより実行される方法は、第1のコンステレーションに対応する少なくとも1つの第1の変調シンボルの、第2のコンステレーションに対応する第2の変調シンボルへのマッピングするステップをさらに含む。
【０１５４】
第7の例において、第6の例の送信デバイスが提供され、第2のコンステレーションの点は、第1のコンステレーションの点の位置と異なる位置に位置する。第8の例において、第1乃至第7の例のうちいずれかの送信デバイスが提供され、少なくとも1つの第1のビットストリームを変調することは、a)二位相シフトキーイング(BPSK)変調、b)π/2‐BPSK変調、c)直交振幅変調(QAM)、およびd)四位相シフトキーイング(QPSK)変調のうち1つを含む。
【０１５５】
第9の例において、第1乃至第8の例のうちいずれかの送信デバイスが提供され、少なくとも1つの第2の変調シンボルセットをリソース要素にマッピングすることは、スパース拡散を使用することを含む。第10の例において、第1乃至第9の例のうちいずれかの送信デバイスが提供され、少なくとも1つの第1の変調シンボルをリソース要素マッピングを使用してマッピングすることは、ユーザ装置(UE)特有のリソースマッピングを使用することを含む。第11の例において、第1乃至第10の例のうちいずれかの送信デバイスが提供され、各々の少なくとも1つの第1の変調シンボルを、それぞれの第1のビットストリームに特有の拡散系列を使用して拡散することは、特定のUEに送信される特定のレイヤに特有の拡散系列、および特定のUEから送信される特定のレイヤに特有のスパース性パターン、のうち少なくとも1つを使用することを含む。
【０１５６】
第12の例において、コンピュータ読取可能記憶媒体が提供される。コンピュータ読取可能記憶媒体は、コンピュータ実行可能命令を記憶しており、コンピュータ実行可能命令は、プロセッサにより実行されたときに、各第1のビットストリームが少なくとも1ビットを含む少なくとも1つの第1のビットストリームを第1の変調タイプを使用して変調して、少なくとも1つの第1のビットストリームの各々について少なくとも1つの第1の変調シンボルを生成するステップと、少なくとも1つの第1の変調シンボルの各々を、それぞれの第1のビットストリームに特有の拡散系列を使用して拡散して、第2の変調シンボルセットを生成するステップと、第2の変調シンボルセットのうち少なくとも1つをリソース要素マッピングを使用してマッピングするステップと、を含む方法を実行する。
【０１５７】
いくつかの実施形態の前の説明は、当業者が本開示による装置、方法またはプロセッサ読取可能媒体を製造または使用することを可能にするように提供される。これらの実施形態に対する種々の変更は当業者には容易に明らかになり、本明細書に記載される方法およびデバイスの一般的原理は他の実施形態に適用され得る。したがって、本開示は、本明細書に示される実施形態に限定されることを意図するものではなく、本明細書に開示される原理および新規な特徴と一致する最も広い範囲を与えられるべきである。
【手続補正２】
【補正対象書類名】特許請求の範囲
【補正対象項目名】全文
【補正方法】変更
【補正の内容】
【特許請求の範囲】
【請求項１】
多元接続(MA)信号の送信のための方法であって、
各第1のビットストリームが少なくとも1ビットを含む少なくとも1つの第1のビットストリームを第1の変調タイプを使用して変調して、前記少なくとも1つの第1のビットストリームの各々から少なくとも1つの第1の変調シンボルを生成するステップと、
前記少なくとも1つの第1の変調シンボルの各々を、それぞれの第1のビットストリームに特有の拡散系列を使用して拡散して、第2の変調シンボルセットを生成するステップと、
前記第2の変調シンボルセットのうち少なくとも1つをリソース要素マッピングを使用してマッピングするステップと、
前記マッピングされた第2の変調シンボルセットをMA信号として送信するステップと、
を含む方法。
【請求項２】
前記拡散および前記マッピングは単一の動作として実行される、請求項1に記載の方法。
【請求項３】
第2のビットストリームを複数の第1のビットストリームに分解するステップ、をさらに含む請求項1または請求項2に記載の方法。
【請求項４】
少なくとも1つの第1の変調シンボルの位相もしくは電力または双方を調整するステップ、をさらに含む請求項1乃至3のうちいずれか1項に記載の方法。
【請求項５】
少なくとも1つの第1の変調シンボルの実数および虚数部を分離するステップ、をさらに含む請求項1乃至4のうちいずれか1項に記載の方法。
【請求項６】
前記少なくとも1つの第1の変調シンボルの各々を拡散するために使用される前記拡散系列は、少なくとも1つの拡散要素を含むベクトルである、請求項1乃至5のうちいずれか1項に記載の方法。
【請求項７】
前記拡散は、前記少なくとも1つの第1の変調シンボルと1つ以上のベクトルを含む行列との乗算として実行され、前記行列内のベクトルの数は第1の変調シンボルの数に対応する、請求項6に記載の方法。
【請求項８】
第1のコンステレーションに対応する少なくとも1つの第1の変調シンボルの、第2のコンステレーションに対応する第2の変調シンボルへのマッピングするステップ、をさらに含む請求項1乃至7のうちいずれか1項に記載の方法。
【請求項９】
前記第2のコンステレーションの点は、前記第1のコンステレーションの点の位置と異なる位置に位置する、請求項8に記載の方法。
【請求項１０】
少なくとも1つの第1のビットストリームを変調することは、
a)二位相シフトキーイング(BPSK)変調、
b)π/2‐BPSK変調、
c)直交振幅変調(QAM)、および
d)四位相シフトキーイング(QPSK)変調
のうち1つを含む、請求項1乃至9のうちいずれか1項に記載の方法。
【請求項１１】
前記少なくとも1つの第2の変調シンボルセットをリソース要素にマッピングすることは、スパース拡散を使用することを含む、請求項1乃至10のうちいずれか1項に記載の方法。
【請求項１２】
前記スパース拡散のスパース性は、異なるレベルのスパース性を可能にするよう柔軟である、請求項11に記載の方法。
【請求項１３】
前記少なくとも1つの第2の変調シンボルセットをリソース要素にマッピングすることは、非スパース拡散を使用することを含む、請求項1乃至12のうちいずれか1項に記載の方法。
【請求項１４】
前記少なくとも1つの第1の変調シンボルをリソース要素マッピングを使用してマッピングすることは、ユーザ装置(UE)特有のリソースマッピングを使用することを含む、請求項1乃至13のうちいずれか1項に記載の方法。
【請求項１５】
各々の少なくとも1つの第1の変調シンボルを、それぞれの第1のビットストリームに特有の拡散系列を使用して拡散することは、
特定のUEに送信される特定のレイヤに特有の拡散系列、および
特定のUEから送信される特定のレイヤに特有のスパース性パターン
のうち少なくとも1つを使用することを含む、請求項1乃至14のうちいずれか1項に記載の方法。
【請求項１６】
送信の前に別個のユーザ装置(UE)の各々に対して生成された、マッピングされた第2のセットの変調シンボルを多重するステップ、をさらに含む請求項1乃至15のうちいずれか1項に記載の方法。
【請求項１７】
多元接続(MA)信号を送信するように構成された送信デバイスであって、
プロセッサと、
コンピュータ実行可能命令を記憶したコンピュータ読取可能記憶媒体であり、前記コンピュータ実行可能命令は、前記プロセッサにより実行されたときに請求項1乃至16のうちいずれか1項に記載の方法を実行する、コンピュータ読取可能記憶媒体と、
を含む送信デバイス。
【請求項１８】
コンピュータ実行可能命令を記憶したコンピュータ読取可能記憶媒体であって、前記コンピュータ実行可能命令は、プロセッサにより実行されたときに請求項1乃至16のうちいずれか1項に記載の方法を実行する、コンピュータ読取可能記憶媒体。
【国際調査報告】
2019537395.tif 000041
2019537395.tif 000042